(57)【要約】  本発明は、移動加入者端末機にサービスを提供しているサービング基地局と、前記サービング基地局と隣接したターゲット基地局とを含む広帯域無線接続通信システムで、前記移動加入者端末機のハンドオーバー方法であって、前記サービング基地局と前記移動加入者端末機との間に接続情報が維持されているか否かを示すリソース維持タイプフィールドを含むハンドオーバー要求メッセージを前記サービング基地局から受信する段階と、前記サービング基地局が前記リソース維持タイプフィールド値により接続情報を維持しているかを認知する段階と、を有することを特徴とする。
2007527176.tif 000002
【特許請求の範囲】
【請求項１】
移動加入者端末機にサービスを提供しているサービング基地局と、前記サービング基地局と隣接したターゲット基地局とを含む広帯域無線接続通信システムで、前記移動加入者端末機のハンドオーバー方法であって、
前記サービング基地局と前記移動加入者端末機との間に接続情報が維持されているか否かを示すリソース維持タイプフィールドを含むハンドオーバー要求メッセージを前記サービング基地局から受信する段階と、
前記サービング基地局が前記リソース維持タイプフィールド値により接続情報を維持しているかを認知する段階と、
を有することを特徴とする方法。
【請求項２】
前記サービング基地局にハンドオーバーの遂行を報告する情報を含むハンドオーバー指示メッセージを送信する段階と、
前記サービング基地局がハンドオーバー指示メッセージを受信した時点から前記接続情報の維持を認知する前記ハンドオーバー指示メッセージを送信することによって前記サービング基地局との接続を解除する段階と、
を有することを特徴とする請求項１記載の方法。
【請求項３】
前記ハンドオーバー要求メッセージは、前記リソース維持タイプフィールドが接続情報の維持を示す場合にリソース維持時間情報を通報することを特徴とする請求項１記載の方法。
【請求項４】
リソース維持時間情報は、ハンドオーバー要求メッセージに時間区間値を示すリソース維持時間フィールドを含むことを特徴とする請求項３記載の方法。
【請求項５】
前記リソース維持時間情報は、サービング基地局と移動局との間に登録を遂行するときに、予め交渉した(ｐｒｅ-ｎｅｇｏｔｉａｔｅｄ)時間を示すシステム維持時間を含むことを特徴とする請求項３記載の方法。
【請求項６】
前記ターゲット基地局にハンドオーバーする間に前記サービング基地局に再進入を決定する段階と、
前記サービング基地局が接続情報を維持している場合に、前記接続情報を用いて前記サービング基地局と通信を再開する段階と、
をさらに有することを特徴とする請求項１記載の方法。
【請求項７】
移動加入者端末機にサービスを提供しているサービング基地局と、前記サービング基地局と隣接したターゲット基地局とを含む広帯域無線接続通信システムで、前記移動加入者端末機のハンドオーバー方法であって、
前記サービング基地局にハンドオーバーを要求する段階と、
前記サービング基地局から前記サービング基地局と移動加入者端末機との間に維持される接続情報を設定するか否かを示すリソース維持タイプフィールドを含むハンドオーバー応答メッセージを受信する段階と、
前記サービング基地局が前記リソース維持タイプフィールドの値により前記接続情報を維持するか否かを認知する段階と、
を有することを特徴とする方法。
【請求項８】
前記サービング基地局にハンドオーバーの遂行を報告する情報を含むハンドオーバー指示メッセージを送信する段階と、
前記サービング基地局がハンドオーバー指示メッセージを受信した時点から前記接続情報維持が始まることを認知する前記ハンドオーバー指示メッセージを送信することによって前記サービング基地局との接続を解除する段階と、
を有することを特徴とする請求項７記載の方法。
【請求項９】
前記ハンドオーバー応答メッセージは、前記リソース維持タイプフィールドが接続情報の維持を示す場合にリソース保有時間情報を通報することを特徴とする請求項７記載の方法。
【請求項１０】
前記リソース保有時間情報は、ハンドオーバー応答メッセージに時間区間値を示すリソース保有時間フィールドを含むことを特徴とする請求項９記載の方法。
【請求項１１】
前記リソース保有時間情報は、前記サービング基地局と移動加入者端末機との間に登録の遂行時に予め交渉した時間を示すシステム保有時間を含むことを特徴とする請求項９記載の方法。
【請求項１２】
前記ターゲット基地局にハンドオーバーする間に前記サービング基地局に再進入を決定する段階と、
前記サービング基地局が接続情報を維持する場合に、前記接続情報を用いて前記サービング基地局と通信を再開する段階と、
をさらに有することを特徴とする請求項７記載の方法。
【請求項１３】
移動加入者端末機にサービスを提供するサービング基地局と、前記サービング基地局に隣接したターゲット基地局を含む広帯域無線接続通信システムで、前記サービング基地局によるハンドオーバー遂行方法であって、
前記移動加入者端末機に前記サービング基地局と移動加入者端末機との間に維持される接続情報を設定するか否かを示すリソース維持タイプフィールドを含むハンドオーバー要求メッセージを送信する段階と、
前記移動加入者端末機からハンドオーバー指示メッセージを受信する段階と、
前記リソース維持タイプフィールドの値によって接続情報を維持する段階と、
を有することを特徴とする方法。
【請求項１４】
前記リソース維持タイプフィールドの値が接続情報維持を示す場合に、前記移動加入者端末機からハンドオーバー指示メッセージを受信した時点から接続情報維持を始めることを特徴とする請求項１３記載の方法。
【請求項１５】
前記ハンドオーバー指示メッセージは、ハンドオーバー指示タイプが前記サービング基地局との解除を示す、すなわちＨＯ_ＩＮＤ_ｔｙｐｅ＝００を含むことを特徴とする請求項１４記載の方法。
【請求項１６】
前記受信したハンドオーバー指示メッセージにより接続情報が維持されるか否かを決定する段階をさらに有することを特徴とする請求項１３記載の方法。
【請求項１７】
前記ハンドオーバー要求メッセージは、前記リソース維持タイプフィールドが接続情報の維持を示す場合に、リソース保有時間情報を通報することを特徴とする請求項１３記載の方法。
【請求項１８】
前記リソース保有時間情報は、ハンドオーバー要求メッセージに時間区間値を示すリソース保有時間フィールドを含むことを特徴とする方法。
【請求項１９】
前記リソース保有時間情報は、前記サービング基地局と移動加入者端末機との間に登録の遂行時に予め交渉した時間を示すシステム保有時間を含むことを特徴とする請求項１７記載の方法。
【請求項２０】
前記サービング基地局が前記移動加入者端末機の再進入時に接続情報を維持している場合に、前記接続情報を用いて前記移動加入者端末機と通信を再開する段階をさらに有することを特徴とする請求項１７記載の方法。
【請求項２１】
前記移動加入者端末機との接続情報は、リソース維持タイプフィールドの値が前記接続情報の維持を示しない場合に削除されることを特徴とする請求項１７記載の方法。
【請求項２２】
移動加入者端末機にサービスを提供するサービング基地局と、前記サービング基地局に隣接したターゲット基地局を含む広帯域無線接続通信システムで、前記サービング基地局によるハンドオーバー遂行方法であって、
前記移動加入者端末機からハンドオーバー要求メッセージを受信する段階と、
前記移動加入者端末機に前記移動加入者端末機との接続情報を維持しているか否かを示すリソース維持タイプフィールドを送信する段階と、
前記移動加入者端末機からハンドオーバー指示メッセージを受信する段階と、
前記リソース維持タイプフィールドの値により接続情報を維持する段階と、
を有することを特徴とする方法。
【請求項２３】
前記リソース維持タイプフィールドの値が接続情報の維持を示す場合に、前記移動加入者端末機からハンドオーバー指示メッセージを受信した時点から接続情報の維持を始めることを特徴とする請求項２２記載の方法。
【請求項２４】
前記ハンドオーバー指示メッセージは、ハンドオーバー指示タイプが前記サービング基地局との解除を示す、すなわちＨＯ_ＩＮＤ_ｔｙｐｅ＝００を含むことを特徴とする請求項２３記載の方法。
【請求項２５】
前記ハンドオーバー指示メッセージが移動加入者端末機のハンドオーバー実行を報告する情報を含む場合に、前記接続情報の維持を決定する段階をさらに有することを特徴とする請求項２３記載の方法。
【請求項２６】
前記ハンドオーバー応答メッセージは、前記リソース維持タイプフィールドが接続情報の維持を示す場合に、リソース保有時間情報を通報することを特徴とする請求項２３記載の方法。
【請求項２７】
前記リソース保有時間情報は、ハンドオーバー要求メッセージの時間区間値を示すリソース保有時間フィールドを含むことを特徴とする請求項２６記載の方法。
【請求項２８】
前記リソース保有時間情報は、前記サービング基地局と移動加入者端末機との間に登録遂行時に予め交渉した時間を示すシステム保有時間を含むことを特徴とする請求項２６記載の方法。
【請求項２９】
前記サービング基地局は、前記移動加入者端末機の再進入時に前記移動加入者端末機の接続情報を維持している場合に、前記接続情報を用いて前記移動加入者端末機と通信を再開する段階をさらに有することを特徴とする請求項２４記載の方法。
【請求項３０】
移動加入者端末機と、前記移動加入者端末機と通信を遂行するサービング基地局と、複数の隣接基地局とを含む広帯域無線接続通信システムで、ピンポン現象によるサービス遅延を最小化するハンドオーバー方法であって、
ａ）前記サービング基地局から前記隣接基地局のうち任意の隣接基地局である最終ターゲット基地局にハンドオーバーすべきであることを検出すると、前記サービング基地局にハンドオーバーを要求する段階と、
ｂ）前記ハンドオーバー要求に対応して前記サービング基地局から受信される前記最終ターゲット基地局として選択される少なくとも２個の候補ターゲット基地局に関する情報を検出する段階と、
ｃ）前記候補ターゲット基地局の各々から送信される基準信号のキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：ＣＩＮＲ)を測定する段階と、
ｄ）前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除く段階と、
ｅ）前記第１の候補ターゲット基地局を除いた候補ターゲット基地局の中で前記最終ターゲット基地局を決定し、前記サービング基地局に前記最終ターゲット基地局にハンドオーバーすることを通報する段階と、
を有することを特徴とする方法。
【請求項３１】
前記最終ターゲット基地局にハンドオーバーすることを検出するａ）段階は、
前記サービング基地局から送信される基準信号のＣＩＮＲが予め設定した第２のしきい値未満である場合に、前記最終ターゲット基地局にハンドオーバーすることによって検出し、前記第１のしきい値は前記第２のしきい値を超える値に設定することを特徴とする請求項３０記載の方法。
【請求項３２】
前記候補ターゲット基地局を決定するｅ）段階は、前記第１の候補ターゲット基地局を除いた候補ターゲット基地局のうち、前記通信のために要求されるサービスレベル或いは帯域幅を提供する候補ターゲット基地局を前記最終ターゲット基地局として決定することを特徴とする請求項３０記載の方法。
【請求項３３】
前記比較結果、前記測定したＣＩＮＲ値がすべて前記第１のしきい値未満である場合に、前記サービング基地局に前記ハンドオーバーを遂行しないことを通報する段階をさらに有することを特徴とする請求項３０記載の方法。
【請求項３４】
前記最終ターゲット基地局にハンドオーバーすることを通報した後に前記サービング基地局から前記最終ターゲット基地局に接続切り換えを遂行する段階と、
前記最終ターゲット基地局に接続切り替えを遂行した後に、前記最終ターゲット基地局とネットワーク再進入手順を遂行する段階と、
前記ネットワーク再進入手順を遂行する中に前記最終ターゲット基地局から送信される基準信号のＣＩＮＲ値が前記第１のしきい値未満である場合に、前記最終ターゲット基地局から前記サービング基地局に接続切り替えを遂行する段階と、
をさらに有することを特徴とする請求項３０記載の方法。
【請求項３５】
移動加入者端末機と、前記移動加入者端末機が通信を遂行するサービング基地局と、複数の隣接基地局を有する広帯域無線接続通信システムで、ピンポン現象によるサービス遅延を最小化するハンドオーバー方法であって、
ａ）前記サービング基地局から、前記サービング基地局が前記隣接基地局のうちの任意の隣接基地局である最終ターゲット基地局として選択する少なくとも２個の候補ターゲット基地局情報が含まれるハンドオーバー要求を受信し、前記情報を検出する段階と、
ｂ）前記候補ターゲット基地局の各々から送信される基準信号のキャリア対干渉雑音比(ＣＩＮＲ)を測定する段階と、
ｃ）前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除く段階と、
ｄ）前記第１の候補ターゲット基地局を除いた候補ターゲット基地局の中で前記最終ターゲット基地局を決定し、前記サービング基地局に前記最終ターゲット基地局にハンドオーバーすることを通報する段階と、
を有することを特徴とする方法。
【請求項３６】
ｄ）前記最終ターゲット基地局を決定する段階は、
前記第１の候補ターゲット基地局を除いた候補ターゲット基地局のうち、前記通信のために要求されるサービスレベル或いは帯域幅を提供する候補ターゲット基地局を前記最終ターゲット基地局として決定することを特徴とする請求項３５記載の方法。
【請求項３７】
前記比較結果、前記測定したＣＩＮＲ値すべてが前記第１のしきい値未満である場合に、前記サービング基地局に前記ハンドオーバーを遂行しないことを通報する段階をさらに有することを特徴とする請求項３５記載の方法。
【請求項３８】
前記最終ターゲット基地局にハンドオーバーすることを通報した後に、前記サービング基地局から前記最終ターゲット基地局に接続切り替えを遂行する段階と、
前記最終ターゲット基地局みに接続切り替えを遂行した後に、前記最終ターゲット基地局とネットワーク再進入手順を遂行する段階と、
前記ネットワーク再進入手順を遂行する中に前記最終ターゲット基地局から送信される基準信号のＣＩＮＲ値が前記第１のしきい値未満である場合に、前記最終ターゲット基地局から前記サービング基地局に接続切り替えを遂行する段階と、
をさらに有することを特徴とする請求項３５記載の方法。
【請求項３９】
移動加入者端末機と、前記移動加入者端末機が通信を遂行するサービング基地局と、複数の隣接基地局を有する広帯域無線接続通信システムで、ピンポン現象によるサービス遅延を最小化するハンドオーバー方法であって、
ａ）前記サービング基地局は、前記移動加入者端末機が前記隣接基地局の特定隣接基地局であるターゲット基地局にハンドオーバーすることを示す通報を受信すると、前記移動加入者端末機の接続情報を削除し、或いは予め設定した時間で保有する段階と、
ｂ）前記移動加入者端末機が前記ターゲット基地局とネットワーク再進入手順を遂行する中にピンポン現象の発生を認知すると、前記サービング基地局に接続を切り替える段階と、
ｃ）前記サービング基地局からハンドオーバー要求又はハンドオーバー応答メッセージを受信する段階と、
ｄ）前記それぞれのメッセージを受信することにより、前記メッセージの各々に含まれた前記移動加入者端末機に関する接続情報を維持するか否かを検出して認知する段階と、
ｅ）前記サービング基地局が前記移動加入者端末機に関する接続情報を維持している場合に、初期レンジング手順のみを遂行し、前記サービング基地局と通信を再開する段階と、
を有することを特徴とする方法。
【請求項４０】
前記ｅ）段階は、
前記サービング基地局と同期する段階と、
前記サービング基地局と通信するときに使用された基本接続識別子(ＣＩＤ)が含まれる初期レンジング手順に該当するレンジング要求メッセージを送信し、これに応じるレンジング応答メッセージを受信する段階と、
前記サービング基地局で維持している移動加入者端末機の接続情報を用いて通信を再開する段階と、
を有することを特徴とする請求項３９記載の方法。
【請求項４１】
前記サービング基地局が前記移動加入者端末機の接続情報を削除した場合に、既存のネットワーク再進入手順を遂行して前記サービング基地局と通信を再開する段階を有することを特徴とする請求項３９記載の方法。
【請求項４２】
前記移動加入者端末機が、前記サービング基地局で自機に関する接続情報を維持していることを認知すると、予め定められた接続情報維持時間情報を検出する段階をさらに有することを特徴とする請求項３９記載の方法。
【請求項４３】
前記サービング基地局が、前記接続情報維持時間の情報により前記移動加入者端末機に関する接続情報を維持することを特徴とする請求項４２記載の方法。
【請求項４４】
移動加入者端末機と、前記移動加入者端末機が通信を遂行するサービング基地局と、複数の隣接基地局とを含む広帯域無線接続通信システムで、ピンポン現象によるサービス遅延を最小化するハンドオーバーシステムであって、
前記サービング基地局から前記隣接基地局のうちの任意の隣接基地局である最終ターゲット基地局にハンドオーバーすべきであることを検出すると、前記サービング基地局にハンドオーバーを要求し、前記ハンドオーバー要求に対応して前記サービング基地局から受信される前記最終ターゲット基地局として選択される少なくとも２個の候補ターゲット基地局に関する情報を検出し、前記候補ターゲット基地局の各々から送信される基準信号のキャリア対干渉雑音比(ＣＩＮＲ)を測定し、前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除き、前記第１の候補ターゲット基地局を除いた候補ターゲット基地局のうちの前記最終ターゲット基地局を決定し、前記サービング基地局に前記最終ターゲット基地局にハンドオーバーすることを通報する移動加入者端末機と、
前記移動加入者端末機のハンドオーバー要求を受信し、これに対応して前記移動加入者端末機が最終ターゲット基地局として選択される少なくとも２個の候補ターゲット基地局に関する情報を送信し、前記移動加入者端末機から最終ターゲット基地局にハンドオーバーすることを示す通報を受信するサービング基地局と、
を含むことを特徴とするシステム。
【請求項４５】
前記移動加入者端末機が、前記最終ターゲット基地局にハンドオーバーすべきであることを検出することにおいて、前記サービング基地局から送信される基準信号のＣＩＮＲが予め設定した第２のしきい値未満である場合に、前記最終ターゲット基地局にハンドオーバーすることで検出し、前記第１のしきい値は前記第２のしきい値を超える値に設定されることを特徴とする請求項４４記載のシステム。
【請求項４６】
前記移動加入者端末機が前記最終ターゲット基地局を決定することにおいて、前記第１の候補ターゲット基地局を除いた候補ターゲット基地局の中で前記通信のために要求されるサービスレベル或いは帯域幅を提供する候補ターゲット基地局を前記最終ターゲット基地局に決定することを特徴とする請求項４４記載のシステム。
【請求項４７】
前記比較結果、前記測定したＣＩＮＲ値がすべて前記第１のしきい値未満である場合に、前記サービング基地局に前記ハンドオーバーを遂行しないことを通報することを特徴とする請求項４４記載のシステム。
【請求項４８】
移動加入者端末機と、前記移動加入者端末機が通信を遂行するサービング基地局と、複数の隣接基地局を有する広帯域無線接続通信システムで、ピンポン現象によるサービス遅延を最小化するハンドオーバーシステムであって、
前記サービング基地局から、前記サービング基地局で前記隣接基地局のうちの任意の隣接基地局である最終ターゲット基地局として選択される少なくとも２個の候補ターゲット基地局情報が含まれるハンドオーバー要求を受信してこれを検出し、前記候補ターゲット基地局の各々から送信する基準信号のキャリア対干渉雑音比(ＣＩＮＲ)を測定し、前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除き、前記第１の候補ターゲット基地局を除いた候補ターゲット基地局のうち前記最終ターゲット基地局を決定し、前記サービング基地局に前記最終ターゲット基地局にハンドオーバーすることを通報する移動加入者端末機と、
前記移動加入者端末機のハンドオーバーを要求し、これに対応して前記移動加入者端末機から最終ターゲット基地局に関する情報を受信するサービング基地局と、
を含むことを特徴とするシステム。
【請求項４９】
移動加入者端末機と、前記移動加入者端末機にサービスを提供するサービング基地局と、前記サービング基地局に隣接したターゲット基地局とを含む広帯域無線接続通信システムで、ハンドオーバーを遂行するシステムであって、
前記サービング基地局にハンドオーバーを要求し、前記サービング基地局から予め設定された接続情報を維持するか否かを示すリソース維持タイプフィールドを含むハンドオーバー応答メッセージを受信し、前記リソース維持タイプフィールドの値により、前記サービング基地局が接続情報を維持するか否かを認知する移動加入者端末機と、
前記移動加入者端末機からハンドオーバー要求メッセージを受信し、前記移動加入者端末機に前記移動加入者端末機の接続情報を維持するか否かを示すリソース維持タイプフィールドを含むハンドオーバー応答メッセージを送信し、前記移動加入者端末機からハンドオーバー指示メッセージを受信し、前記リソース維持タイプフィールドの値により接続情報を維持するサービング基地局と、
を含むことを特徴とするシステム。
【請求項５０】
移動加入者端末機と、前記移動加入者端末機にサービスを提供するサービング基地局と、前記サービング基地局に隣接したターゲット基地局とを含む広帯域無線接続通信システムで、ハンドオーバーを遂行するシステムであって、
前記サービング基地局から前記サービング基地局との接続情報が維持されるか否かを示すリソース維持タイプフィールドが含まれたハンドオーバー要求メッセージを受信し、前記サービング基地局が前記リソース維持タイプフィールドの値に対応して接続情報を維持しているか否かを認知する移動加入者端末機と、
前記移動加入者端末機に前記移動加入者端末機と接続情報が維持されるか否かを示すリソース維持タイプフィールドが含まれたハンドオーバー要求メッセージを送信し、前記移動加入者端末機からハンドオーバー指示メッセージを受信し、前記リソース維持タイプフィールドの値により接続情報を維持するサービング基地局と、
を含むことを特徴とするシステム。
【発明の詳細な説明】
【技術分野】
【０００１】
本発明は広帯域無線接続通信システムに関するもので、特に、ピンポン現象によるサービス遅延を最小化するハンドオーバーシステム及び方法に関するものである。
【背景技術】
【０００２】
次世代通信システムである４世代(４ｔｈ  Ｇｅｎｅｒａｔｉｏｎ：以下、“４Ｇ”とする)通信システムで、約１０Ｍｂｐｓの伝送速度を有する多様なサービス品質(Ｑｕａｌｉｔｙ  ｏｆ  Ｓｅｒｖｉｃｅ：以下、“ＱｏＳ”とする）を有するサービスをユーザーに提供するための活発な研究が進んでいる。最近で、４Ｇ通信システムでは、無線近距離通信ネットワーク(Ｌｏｃａｌ  Ａｒｅａ  Ｎｅｔｗｏｒｋ：以下、“ＬＡＮ”とする)システム及び無線都市地域ネットワーク(Ｍｅｔｒｏｐｏｌｉｔａｎ  Ａｒｅａ  Ｎｅｔｗｏｒｋ：以下、“ＭＡＮ”とする)システムのような広帯域無線接続(Ｂｒｏａｄｂａｎｄ  Ｗｉｒｅｌｅｓｓ  Ａｃｃｅｓｓ：ＢＷＡ)通信システムに移動性(ｍｏｂｉｌｉｔｙ）とサービス品質(ＱｏＳ）を保証する形態で高速サービスを支援するための研究が活発になされている。その代表的な通信システムが、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２.１６ａ通信システム及びＩＥＥＥ８０２.１６ｅ通信システムである。
【０００３】
ＩＥＥＥ８０２.１６ａ通信システム及びＩＥＥＥ８０２.１６ｅ通信システムは、無線ＭＡＮシステムの物理チャンネル(ｐｈｙｓｉｃａｌ  ｃｈａｎｎｅｌ)に広帯域伝送ネットワークを支援するために直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”とする)方式/直交周波数分割多重接続(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：以下、“ＯＦＤＭＡ”とする)方式を適用する。ＩＥＥＥ８０２.１６ａ通信システムは、現在加入者端末機(Ｓｕｂｓｃｒｉｂｅｒ  Ｓｔａｔｉｏｎ：以下、“ＳＳ”とする)が固定された状態、すなわちＳＳの移動性を全く考慮しない状態及び単一セル構造だけを考慮している。これに対して、ＩＥＥＥ８０２.１６ｅ通信システムは、ＩＥＥＥ８０２.１６ａ通信システムにＳＳの移動性を考慮するシステムである。ここで、移動性を有するＳＳは、ＭＳＳ(Ｍｏｂｉｌｅ  Ｓｕｂｓｃｒｉｂｅｒ  Ｓｔａｔｉｏｎ)と称する。
【０００４】
このＩＥＥＥ８０２.１６ｅ通信システムの構造は、図１を参照して詳細に説明する。
図１は、一般的なＩＥＥＥ８０２.１６ｅ通信システムの構造を概略的に示す。
図１を参照すると、ＩＥＥＥ８０２.１６ｅ通信システムは、多重セル構造、すなわちセル１００とセル１５０を有する。また、ＩＥＥＥ８０２.１６ｅ通信システムは、セル１００を管理する基地局(Ｂａｓｅ  Ｓｔａｔｉｏｎ：ＢＳ)１１０と、セル１５０を管理する基地局１４０と、複数のＭＳＳ１１１，１１３，１３０，１５１，１５３とを含む。そして、基地局１１０，１４０とＭＳＳ１１１，１１３，１３０，１５１，１５３との間の信号送受信は、ＯＦＤＭ/ＯＦＤＭＡ方式を使用して遂行される。ここで、ＭＳＳ１１１，１１３，１３０，１５１，１５３の中でＭＳＳ１３０は、セル１００とセル１５０との境界領域、すなわちハンドオーバー(ｈａｎｄｏｖｅｒ)領域に位置する。したがって、ＭＳＳ１３０が基地局１１０と信号を送受信する中に基地局１４０が管理するセル１５０に移動すると、そのＭＳＳ１３０に対するサービング基地局(ｓｅｒｖｉｎｇ  ＢＳ）が基地局１１０から基地局１４０に変更される。
【０００５】
図２は、一般的なＩＥＥＥ８０２.１６ｅ通信システムで、ＭＳＳの要求によるハンドオーバー過程を示す信号フローチャートである。
図２を参照すると、サービング基地局２１０は、ＭＳＳ２００に移動加入者端末機の隣接基地局広告(Ｍｏｂｉｌｅ  Ｎｅｉｇｈｂｏｒ  Ａｄｖｅｒｔｉｓｅｍｅｎｔ：以下、“ＭＯＢ_ＮＢＲ_ＡＤＶ”とする)メッセージを送信する(ステップ２１１)。このＭＯＢ_ＮＢＲ_ＡＤＶメッセージは、下記の＜表１＞に示すような構造を有する。
【０００６】
【表１】
2007527176.tif 000003
【０００７】
＜表１＞に示すように、ＭＯＢ_ＮＢＲ_ＡＤＶメッセージは、複数のＩＥ、すなわち送信されるメッセージのタイプを示す“Ｍａｎａｇｅｍｅｎｔ  Ｍｅｓｓａｇｅ  Ｔｙｐｅ”と、ネットワーク識別子(Ｉｄｅｎｔｉｆｉｅｒ：ＩＤ)を示す“Ｏｐｅｒａｔｏｒ  ＩＤ”と、構成(ｃｏｎｆｉｇｕｒａｔｉｏｎ）が変更される数を示す“Ｃｏｎｆｉｇｕｒａｔｉｏｎ  Ｃｈａｎｇｅ  Ｃｏｕｎｔ”と、隣接基地局の個数を示す“Ｎ_ＮＥＩＧＨＢＯＲＳ”と、前記隣接基地局の識別子を示す“Ｎｅｉｇｈｂｏｒ  ＢＳ-ＩＤ”と、前記隣接基地局の物理チャンネル周波数を示す“Ｐｈｙｓｉｃａｌ  Ｆｒｅｑｕｅｎｃｙ”と、前記情報以外に前記隣接基地局に関連したその他の情報を示す“ＴＬＶ  Ｅｎｃｏｄｅｄ  Ｎｅｉｇｈｂｏｒ  Ｉｎｆｏｒｍａｔｉｏｎ”とを含む。
【０００８】
ＭＳＳ２００は、ＭＯＢ_ＮＢＲ_ＡＤＶメッセージを受信することによって隣接基地局に関する情報を獲得することが可能である。また、ＭＳＳ２００が隣接基地局及びサービング基地局２１０から送信されるパイロットチャンネル信号のキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、“ＣＩＮＲ”とする)をスキャニングしようとするときに、このサービング基地局２１０に移動加入者端末機スキャン要求(Ｍｏｂｉｌｅ  Ｓｃａｎｎｉｎｇ  Ｉｎｔｅｒｖａｌ  Ａｌｌｏｃａｔｉｏｎ  Ｒｅｑｕｅｓｔ：以下、“ＭＯＢ_ＳＣＮ_ＲＥＱ”とする)メッセージを送信する(ステップ２１３)。このＭＯＢ_ＳＣＮ_ＲＥＱメッセージは、＜表２＞に示すような構造を有する。
【０００９】
【表２】
2007527176.tif 000004
【００１０】
＜表２＞に示すように、ＭＯＢ_ＳＣＮ_ＲＥＱメッセージは、複数のＩＥ、すなわち送信されるメッセージのタイプを示す“Ｍａｎａｇｅｍｅｎｔ  Ｍｅｓｓａｇｅ  Ｔｙｐｅ”と、隣接基地局から送信されるパイロット信号のＣＩＮＲをスキャニングしようとするスキャン区間を示す“Ｓｃａｎ  Ｄｕｒａｔｉｏｎ”と、スキャニング動作を始めるフレームを示す“Ｓｔａｒｔ  Ｆｒａｍｅ”とを含む。“Ｓｃａｎ  Ｄｕｒａｔｉｏｎ”は、フレーム単位で構成される。＜表２＞で、ＭＯＢ_ＳＣＮ_ＲＥＱメッセージの管理メッセージタイプは現在決定されない状態である(“Ｍａｎａｇｅｍｅｎｔ  Ｍｅｓｓａｇｅ  Ｔｙｐｅ”＝ｕｎｄｅｆｉｎｅｄ)。ここで、ＭＳＳ２００がスキャン要求をする時点は、パイロットチャンネル信号のＣＩＮＲスキャニング動作と直接的な関連がないため、ここではその具体的な説明を省略する。
【００１１】
一方、ＭＯＢ_ＳＣＮ_ＲＥＱメッセージを受信したサービング基地局２１０は、ＭＳＳ２００がスキャニングする情報を含み、スキャニング区間が０でない移動加入者端末機スキャン応答(Ｍｏｂｉｌｅ  Ｓｃａｎｎｉｎｇ  Ｉｎｔｅｒｖａｌ  Ａｌｌｏｃａｔｉｏｎ  Ｒｅｓｐｏｎｓｅ：以下、“ＭＯＢ_ＳＣＮ_ＲＳＰ”とする)メッセージをＭＳＳ２００に送信する(ステップ２１５)。このＭＯＢ_ＳＣＮ_ＲＳＰメッセージの構造は、下記の＜表３＞に示すようである。
【００１２】
【表３】
2007527176.tif 000005
【００１３】
＜表３＞に示すように、ＭＯＢ_ＳＣＮ_ＲＳＰメッセージは、複数のＩＥ、すなわち送信されるメッセージのタイプを示す“Ｍａｎａｇｅｍｅｎｔ  Ｍｅｓｓａｇｅ  Ｔｙｐｅ”と、ＭＯＢ_ＳＣＮ_ＲＥＱメッセージを伝送したＭＳＳの接続識別子(Ｃｏｎｎｅｃｔｉｏｎ  ＩＤ：以下、“ＣＩＤ”とする)と、スキャン区間の“Ｄｕｒａｔｉｏｎ”と、スキャン動作を始める時点とを含む。＜表３＞で、ＭＯＢ_ＳＣＮ_ＲＳＰメッセージが伝送される管理メッセージタイプは、現在決定されない状態で(Ｍａｎａｇｅｍｅｎｔ  Ｍｅｓｓａｇｅ  Ｔｙｐｅ＝ｕｎｄｅｆｉｎｅｄ)、スキャン区間はＭＳＳがパイロットＣＩＮＲスキャニングを遂行する区間を示す。その区間の値が０である場合に、ＭＳＳ２００のスキャニング要求が拒否されることを示す。
【００１４】
スキャニング情報を含むＭＯＢ_ＳＣＮ_ＲＳＰメッセージを受信したＭＳＳ２００は、ＭＯＢ_ＮＢＲ_ＡＤＶメッセージの受信を通じて認識された隣接基地局及びサービング基地局２１０に対してＭＯＢ_ＳＣＮ_ＲＳＰメッセージに含まれているパラメーター、すなわちスキャン区間により、パイロットチャンネル信号のＣＩＮＲスキャニングを遂行する(ステップ２１７)。
【００１５】
隣接基地局及びサービング基地局２１０から受信されるパイロットチャンネル信号のＣＩＮＲをスキャニング完了した後に、ＭＳＳ２００は、現在ＭＳＳ２００が属しているサービング基地局を変更することを決定すると(ステップ２１９)、すなわち、ＭＳＳ２００が現在のサービング基地局を基地局２１０と相互に異なる新たな基地局に変更することを決定する。すると、ＭＳＳ２００は、サービング基地局２１０にＭＳＳハンドオーバー要求(Ｍｏｂｉｌｅ  Ｓｕｂｓｃｒｉｂｅｒ  Ｓｔａｔｉｏｎ  ＨａｎｄＯｖｅｒ  Ｒｅｑｕｅｓｔ：以下、“ＭＯＢ_ＭＳＳＨＯ_ＲＥＱ”とする)メッセージを送信する(ステップ２２１)。ここで、ＭＳＳ２００が現在属しているサービング基地局でない新たな基地局、すなわちＭＳＳ２００がハンドオーバーして新たなサービング基地局となる可能性のある基地局を“ターゲット基地局”と称する。また、ＭＯＢ_ＭＳＳＨＯ_ＲＥＱメッセージ構造は、下記の＜表４＞に示すようである。
【００１６】
【表４】
2007527176.tif 000006
【００１７】
＜表４＞に示すように、ＭＯＢ_ＭＳＳＨＯ_ＲＥＱメッセージは、複数のＩＥ、すなわち送信されるメッセージのタイプを示す“Ｍａｎａｇｅｍｅｎｔ  Ｍｅｓｓａｇｅ  Ｔｙｐｅ”と、ＭＳＳ２００がサービング基地局及び複数の隣接基地局のパイロットチャンネル信号のＣＩＮＲスキャニングの結果とを含む。＜表４＞で、“Ｎ_Ｒｅｃｏｍｍｅｎｄｅｄ”は、ＭＳＳが隣接基地局の各々に対してパイロットチャンネル信号のＣＩＮＲをスキャニング結果に基づいて、予め設定したＣＩＮＲ以上のサイズを有するパイロットチャンネル信号を送信した隣接基地局の個数を示す。その結果、“Ｎ_Ｒｅｃｏｍｍｅｎｄｅｄ”は、ＭＳＳ２００がハンドオーバーするように推薦する隣接基地局の個数を示す。ＭＯＢ_ＭＳＳＨＯ_ＲＥＱメッセージは、Ｎ_Ｒｅｃｏｍｍｅｎｄｅｄで示す隣接基地局の各々に対するＩＤと、隣接基地局の各々に対するパイロットチャンネル信号のＣＩＮＲと、前記隣接基地局がＭＳＳに提供されると予想されるサービスレベルと、隣接基地局をターゲット基地局として選択されてハンドオーバーを始めると予想される時刻(Ｅｓｔｉｍａｔｅｄ  ＨＯ  Ｔｉｍｅ）とを含む。
【００１８】
ＭＳＳ２００から送信されたＭＯＢ_ＭＳＳＨＯ_ＲＥＱメッセージを受信すると、サービング基地局２１０は、受信したＭＯＢ_ＭＳＳＨＯ_ＲＥＱメッセージのＮ_Ｒｅｃｏｍｍｅｎｄｅｄ情報を用いてＭＳＳ２００がハンドオーバー可能なターゲット基地局リストを検出する(ステップ２２３)。説明の便宜上、ハンドオーバー可能なターゲット基地局のリストは、“ハンドオーバー可能ターゲット基地局リスト”と呼ばれる。図２で、ハンドオーバー可能ターゲット基地局リストに第１のターゲット基地局２２０及び第２のターゲット基地局２３０が存在すると仮定する。また、ハンドオーバー可能ターゲット基地局リストは、複数のターゲット基地局を含むことが可能である。サービング基地局２１０は、ハンドオーバー可能ターゲット基地局リストに属するターゲット基地局、すなわち第１のターゲット基地局２２０及び第２のターゲット基地局２３０にハンドオーバー通知(以下、“ＨＯ_ＰＲＥ_ＮＯＴＩＦＩＣＡＴＩＯＮ”とする)メッセージを送信する(ステップ２２５，２２７)。このＨＯ_ＰＲＥ_ＮＯＴＩＦＩＣＡＴＩＯＮメッセージは、下記の＜表５＞に示すような構造を有する。
【００１９】
【表５】
2007527176.tif 000007
【００２０】
＜表５＞に示すように、ＨＯ_ＰＲＥ_ＮＯＴＩＦＩＣＡＴＩＯＮメッセージは、複数のＩＥ、すなわちバックボーンネットワーク(ｂａｃｋｂｏｎｅ  ｎｅｔｗｏｒｋ)で基地局との間に交換されるメッセージに共通的に含まれる“Ｇｌｏｂａｌ  Ｈｅａｄｅｒ”と、第１のターゲット基地局２２０又は第２のターゲット基地局２３０にハンドオーバーしようとするＭＳＳ２００の識別子(ＭＳＳ ＩＤ)と、ＭＳＳ２００がハンドオーバーの開始時点として予想される時刻を示す“Ｅｓｔｉｍａｔｅｄ  Ｔｉｍｅ  ｔｏ  ＨＯ”と、ＭＳＳ２００から新たなサービング基地局となるターゲット基地局に要求される帯域幅情報を示す“Ｒｅｑｕｉｒｅｄ  ＢＷ(ＢａｎｄＷｉｄｔｈ)”と、ＭＳＳ２００に提供されるサービスレベル情報を示す“Ｒｅｑｕｉｒｅｄ  ＱｏＳ”とを含む。ＭＳＳ２００が要求する帯域幅及びサービスレベルは、上記の＜表４＞に説明したＭＯＢ_ＮＳＳＨＯ_ＲＥＱメッセージに記録した予想されるサービスレベル情報と同一である。
【００２１】
ＨＯ_ＰＲＥ_ＮＯＴＩＦＩＣＡＴＩＯＮメッセージと同一のバックボーンネットワークで基地局との間に交換されるメッセージに共通的に含まれる“Ｇｌｏｂａｌ  Ｈｅａｄｅｒ”は、下記の＜表６＞に示すような一般的な構造を有する。
【００２２】
【表６】
2007527176.tif 000008
【００２３】
＜表６＞に示すように、“Ｇｌｏｂａｌ  Ｈｅａｄｅｒ”は、複数のＩＥ、すなわち送信されるメッセージのタイプを示す“Ｍｅｓｓａｇｅ  Ｔｙｐｅ”と、送信されるメッセージを伝送する送信基地局を示す“Ｓｅｎｄｅｒ  ＢＳ-ＩＤ”と、送信されるメッセージを受信する受信基地局を示す“Ｔａｒｇｅｔ  ＢＳ-ＩＤ”と、送信されるメッセージに含まれたレコードの対象となるＭＳＳの個数を示す“Ｎｕｍ  Ｒｅｃｏｒｄｓ”とを含む。
【００２４】
第１のターゲット基地局２２０と第２のターゲット基地局２３０は、サービング基地局２１０からＨＯ_ＰＲＥ_ＮＯＴＩＦＩＣＡＴＩＯＮメッセージを受信すると、このＨＯ_ＰＲＥ_ＮＯＴＩＦＩＣＡＴＩＯＮメッセージに対する応答メッセージであるハンドオーバー通知応答(“ＨＯ_ＰＲＥ_ＮＯＴＩＦＩＣＡＴＩＯＮ_ＲＥＳＰＯＮＳＥ”)メッセージをサービング基地局２１０に送信する(ステップ２２９，２３１)。このＨＯ_ＰＲＥ_ＮＯＴＩＦＩＣＡＴＩＯＮ_ＲＥＳＰＯＮＳＥメッセージの構造は、下記の＜表７＞に示すようである。
【００２５】
【表７】
2007527176.tif 000009
【００２６】
＜表７＞に示すように、ＨＯ_ＰＲＥ_ＮＯＴＩＦＩＣＡＴＩＯＮ_ＲＥＳＰＯＮＳＥメッセージは、複数のＩＥ、すなわち＜表６＞に示したように、バックボーンネットワークで基地局との間に交換されるメッセージに共通的に含まれる“Ｇｌｏｂａｌ  Ｈｅａｄｅｒ”と、ターゲット基地局にハンドオーバーしようとするＭＳＳの識別子(ＭＳＳ ＩＤ)と、ターゲット基地局がＭＳＳのハンドオーバーの要求に よりハンドオーバーを遂行することが可能であるか否かに対する応答(ＡＣＫ/ＮＡＣＫ）と、各ターゲット基地局にＭＳＳがハンドオーバーしたときに、ターゲット基地局の各々が提供できる帯域幅及びサービスレベル情報とを含む。
【００２７】
一方、第１のターゲット基地局２２０及び第２のターゲット基地局２３０からＨＯ_ＰＲＥ＿ＮＯＴＩＦＩＣＡＴＩＯＮ_ＲＥＳＰＯＮＳＥメッセージを受信したサービング基地局２１０は、受信されたＨＯ_ＰＲＥ_ＮＯＴＩＦＩＣＡＴＩＯＮ_ＲＥＳＰＯＮＳＥメッセージを分析し、ＭＳＳ２００がハンドオーバーしたときにＭＳＳ２００によって要求される帯域幅とサービスレベルを最適に提供可能なターゲット基地局をＭＳＳ２００がハンドオーバーする最終ターゲット基地局として選択する。一例として、第１のターゲット基地局２２０が提供できるサービスレベルは、ＭＳＳ２００が要求したサービスレベルより低く、第２のターゲット基地局２３０が提供できるサービスレベルはＭＳＳ２００が要求したサービスレベルと同一であると仮定する場合に、サービング基地局２１０は、第２のターゲット基地局２３０をＭＳＳ２００がハンドオーバーする最終ターゲット基地局として選択する。したがって、サービング基地局２１０は、第２のターゲット基地局２３０にＨＯ_ＰＲＥ_ＮＯＴＩＦＩＣＡＴＩＯＮ_ＲＥＳＰＯＮＳＥメッセージに対する応答メッセージとしてハンドオーバー通知確認(ＨＯ_ＣＯＮＦＩＲＭ)メッセージを送信する(ステップ２３３)。このＨＯ_ＣＯＮＦＩＲＭメッセージは、下記の＜表８＞に示すような構造を有する。
【００２８】
【表８】
2007527176.tif 000010
【００２９】
＜表８＞に示すように、ＨＯ_ＣＯＮＦＩＲＭメッセージは複数のＩＥ、すなわち上記の＜表６＞に示したように、バックボーンネットワークで基地局との間に交換されるメッセージに共通的に含まれる“Ｇｌｏｂａｌ  Ｈｅａｄｅｒ”と、選択されたターゲット基地局にハンドオーバーしようとするＭＳＳの識別子(ＭＳＳ ＩＤ)と、この選択されたターゲット基地局にＭＳＳがハンドオーバーしたときにターゲット基地局から提供されることができる帯域幅及びサービスレベル情報とを含む。
【００３０】
また、サービング基地局２１０は、ＭＳＳ２００にＭＯＢ_ＭＳＳＨＯ_ＲＥＱメッセージに対する応答メッセージとして基地局ハンドオーバー応答(ＭＯＢ_ＢＳＨＯ_ＲＳＰメッセージを送信する(ステップ２３５)。ここで、ＭＯＢ_ＢＳＨＯ_ＲＳＰメッセージは、ＭＳＳ２００がハンドオーバーするターゲット基地局に関する情報を含む。このＭＯＢ_ＢＳＨＯ_ＲＳＰメッセージは、下記の＜表９＞に示すような構造を有する。
【００３１】
【表９】
2007527176.tif 000011
【００３２】
＜表９＞に示すように、ＭＯＢ_ＢＳＨＯ_ＲＳＰメッセージは、複数のＩＥ、すなわち送信されるメッセージのタイプを示す“Ｍａｎａｇｅｍｅｎｔ  Ｍｅｓｓａｇｅ  Ｔｙｐｅ”と、ハンドオーバー手順の開始時点として予想される時間(Ｅｓｔｉｍａｔｅｄ  ＨＯ  ｔｉｍｅ)と、サービング基地局が選択したターゲット基地局に対する結果とを含む。また、ＭＯＢ_ＢＳＨＯ_ＲＳＰメッセージのＮ_Ｒｅｃｏｍｍｅｎｄｅｄは、ハンドオーバー可能なターゲット基地局リスト上のターゲット基地局のうち、ＭＳＳが要求した帯域幅及びサービスレベルを満たすターゲット基地局の個数を示す。このＭＯＢ_ＢＳＨＯ_ＲＳＰメッセージは、Ｎ_Ｒｅｃｏｍｍｅｎｄｅｄで示すターゲット基地局の各々に対する識別子と、ターゲット基地局の各々がＭＳＳに提供すると予想されるサービスレベルとを含む。図２で、ＭＯＢ_ＢＳＨＯ_ＲＳＰメッセージは、ハンドオーバー可能なターゲット基地局リストに存在するターゲット基地局の中で最終的に第２のターゲット基地局２３０の１個のターゲット基地局情報のみを含む。しかしながら、ハンドオーバー可能なターゲット基地局のリストに存在するターゲット基地局の中に、ＭＳＳ２００が要求する帯域幅及びサービスレベルを提供することが可能なターゲット基地局が複数個である場合に、ＭＯＢ_ＢＳＨＯ_ＲＳＰメッセージは複数のターゲット基地局に関する情報を含む。
【００３３】
さらに、ＭＯＢ_ＢＳＨＯ_ＲＳＰメッセージを受信したＭＳＳ２００は、ＭＯＢ_ＢＳＨＯ_ＲＳＰメッセージに含まれているＮ_Ｒｅｃｏｍｍｅｎｄｅｄ情報を分析し、ＭＳＳ２００がハンドオーバーするターゲット基地局を選択する。ハンドオーバーするターゲット基地局を選択したＭＳＳ２００は、サービング基地局２１０にＭＯＢ_ＢＳＨＯ_ＲＳＰメッセージに対する応答メッセージとして移動加入者端末機ハンドオーバー指示(ＭＯＢ_ＨＯ_ＩＮＤ)メッセージを送信する(ステップ２３７)。このＭＯＢ_ＨＯ_ＩＮＤメッセージの構造は、下記の＜表１０＞に示すようである。
【００３４】
【表１０】
2007527176.tif 000012
【００３５】
＜表１０＞に示すように、ＭＯＢ_ＨＯ_ＩＮＤメッセージは、複数のＩＥ、すなわち送信されるメッセージのタイプを示す“Ｍａｎａｇｅｍｅｎｔ  Ｍｅｓｓａｇｅ  Ｔｙｐｅ”と、ＭＳＳが選択した最終ターゲット基地局へのハンドオーバーを決定するか、或いは取り消し又は拒否するかを示す“ＨＯ_ＩＮＤ_ｔｙｐｅ”と、ハンドオーバーすることを決定した場合に、ＭＳＳが選択した最終ターゲット基地局の識別子を示す“Ｔａｒｇｅｔ_ＢＳ_ＩＤ”と、ＭＯＢ_ＨＯ_ＩＮＤメッセージを認証するための“ＨＭＡＣ  Ｔｕｐｌｅ”とを含む。ＨＯ_ＩＮＤ_ｔｙｐｅで、ＭＳＳが最終ターゲット基地局にハンドオーバーを遂行することに決定したときに、ＭＳＳは、ＨＯ_ＩＮＤ_ｔｙｐｅが００に設定されたＭＯＢ_ＨＯ_ＩＮＤメッセージを伝送する。ＭＳＳが最終ターゲット基地局にハンドオーバーを取消すことに決定するときに、ＭＳＳは、ＨＯ_ＩＮＤ_ｔｙｐｅが０１に設定されたＭＯＢ_ＨＯ_ＩＮＤメッセージを伝送する。ＭＳＳが最終ターゲット基地局にハンドオーバーを拒否することに決定するときに、ＭＳＳは、ＨＯ_ＩＮＤ_ｔｙｐｅが１０に設定されたＭＯＢ_ＨＯ_ＩＮＤメッセージを伝送する。ＨＯ_ＩＮＤ_ｔｙｐｅが１０に設定されたＭＯＢ_ＨＯ_ＩＮＤメッセージを受信したサービング基地局２１０は、ハンドオーバー可能ターゲット基地局リストを新たに作成した後に、ＭＳＳ２００にＭＯＢ_ＢＳＨＯ_ＲＳＰメッセージを再伝送する。
【００３６】
ＨＯ_ＩＮＤ_ｔｙｐｅが００に設定されたＭＯＢ_ＨＯ_ＩＮＤメッセージを受信したサービング基地局２１０は、ＭＳＳがＭＯＢ_ＨＯ_ＩＮＤメッセージに含まれているターゲット基地局、すなわち第２のターゲット基地局２３０にハンドオーバーすることを認識する。その後、サービング基地局２１０は、ＭＳＳ２００が現在セットアップされている接続情報を解除し、或いはＭＳＳ２００が最終選択されたターゲット基地局、すなわち第２のターゲット基地局２３０からハンドオーバー手順が全く終了したことを示す通報を受信するまで、予め設定した時間でＭＳＳ２００とセットアップされている接続情報を維持する(ステップ２３９)。このように、サービング基地局２１０にＭＯＢ_ＨＯ_ＩＮＤメッセージを伝送した後に、ＭＳＳ２００は、第２のターゲット基地局２３０と残りのハンドオーバー動作を遂行する。
【００３７】
図３は、一般的なＩＥＥＥ８０２.１６ｅ通信システムで基地局要求によるハンドオーバー過程を示す信号フローチャートである。
【００３８】
図３の説明に先立ち、まず、基地局の要求によるハンドオーバーが発生する場合は、基地局が過負荷(ｏｖｅｒｌｏａｄ)されて隣接基地局に基地局負荷を分散させるための負荷分散(ｌｏａｄ  ｓｈａｒｉｎｇ)が必要である場合、或いはＭＳＳのアップリンク状態変化に対応するための場合である。図３を参照すると、サービング基地局３１０は、ＭＳＳ３００にＭＯＢ_ＮＢＲ-ＡＤＶメッセージを送信する(ステップ３１１)。ＭＳＳ３００は、ＭＯＢ_ＮＢＲ_ＡＤＶメッセージを受信することによって隣接基地局に関する情報を獲得することができる。
【００３９】
サービング基地局３１０は、サービング基地局３１０が管理しているＭＳＳ３００のハンドオーバーに対する必要性を検出するようになると(ステップ３１３)、隣接基地局にＨＯ_ＰＲＥ_ＮＯＴＩＦＩＣＡＴＩＯＮメッセージを送信する(ステップ３１５，３１７)。ここで、ＨＯ_ＰＲＥ_ＮＯＴＩＦＩＣＡＴＩＯＮメッセージは、ＭＳＳ３００の新たなサービング基地局となるターゲット基地局がＭＳＳ３００に提供しなければならない帯域幅及びサービスレベルに関する情報を含む。図３では、サービング基地局３１０の隣接基地局が第１のターゲット基地局３２０及び第２のターゲット基地局３３０であると仮定する。 
ＨＯ_ＰＲＥ_ＮＯＴＩＦＩＣＡＴＩＯＮメッセージを受信した後に、第１のターゲット基地局３２０及び第２のターゲット基地局３３０の各々は、このＨＯ_ＰＲＥ_ＮＯＴＩＦＩＣＡＴＩＯＮメッセージに対する応答メッセージとしてＨＯ_ＰＲＥ_ＮＯＴＩＦＩＣＡＴＩＯＮ_ＲＥＳＰＯＮＳＥメッセージをサービング基地局３１０に送信する(ステップ３１９，３２１)。 ＨＯ_ＰＲＥ_ＮＯＴＩＦＩＣＡＴＩＯＮ_ＲＥＳＰＯＮＳＥメッセージは、上記の＜表７＞に示したように、ターゲット基地局がサービング基地局３１０によって要求されたハンドオーバーを遂行することがが可能であるかを示す応答(ＡＣＫ/ＮＡＣＫ）と、ＭＳＳ３００に提供可能な帯域幅及びサービスレベル情報とを含む。
【００４０】
サービング基地局３１０は、第１のターゲット基地局３２０と第２のターゲット基地局３３０から ＨＯ_ＰＲＥ_ＮＯＴＩＦＩＣＡＴＩＯＮ_ＲＥＳＰＯＮＳＥメッセージを受信すると、ＭＳＳ３００が要求する帯域幅とサービスレベルを提供することが可能なターゲット基地局を選択する。一例として、第１のターゲット基地局３２０によって提供可能なサービスレベルはＭＳＳ３００が要求するサービスレベルより低く、第２のターゲット基地局３３０によって提供可能なサービスレベルはＭＳＳ３００が要求するサービスレベルと同一であると仮定すると、サービング基地局３１０は、第２のターゲット基地局３３０をＭＳＳ３００がハンドオーバー可能な最終ターゲット基地局として選択する。ハンドオーバー可能なターゲット基地局として第２のターゲット基地局３３０を選択したサービング基地局３１０は、ハンドオーバー可能なターゲット基地局リストを含む基地局ハンドオーバー要求(Ｍｏｂｉｌｅ  ＢＳ  ＨａｎｄＯｖｅｒ  Ｒｅｑｕｅｓｔ：以下、“ＭＯＢ_ＢＳＨＯ_ＲＥＱ”とする)メッセージをＭＳＳ３００に伝送する(ステップ３２３)。このとき、ハンドオーバー可能なターゲット基地局リストには、複数のターゲット基地局を含むことが可能である。このＭＯＢ_ＢＳＨＯ_ＲＥＱメッセージの構造は、下記の＜表１１＞に示すようである。
【００４１】
【表１１】
2007527176.tif 000013
【００４２】
＜表１１＞に示すように、ＭＯＢ_ＢＳＨＯ_ＲＥＱメッセージは、複数のＩＥ、すなわち送信されるメッセージタイプを示す“Ｍａｎａｇｅｍｅｎｔ  Ｍｅｓｓａｇｅ  Ｔｙｐｅ”と、サービング基地局３１０によって選択されたターゲット基地局に関する情報を含む。＜表１１＞で、“Ｎ_Ｒｅｃｏｍｍｅｎｄｅｄ”は、サービング基地局３１０がハンドオーバー可能なターゲット基地局として選択された隣接基地局の個数を示す。また、ＭＯＢ_ＢＳＨＯ_ＲＥＱメッセージは、Ｎ_Ｒｅｃｏｍｍｅｎｄｅｄで示す隣接基地局の各々に対する識別子(ＩＤ)と、隣接基地局がＭＳＳに提供することが可能な帯域幅及びサービスレベルに関する情報とを含む。
【００４３】
このＭＯＢ_ＢＳＨＯ_ＲＥＱメッセージを受信したＭＳＳ３００は、サービング基地局３１０によってハンドオーバーが要求されたことを認知し、ＭＯＢ_ＢＳＨＯ-ＲＥＱメッセージに含まれているＮ_Ｒｅｃｏｍｍｅｎｄｅｄ情報を参照してハンドオーバーを遂行する最終ターゲット基地局を選択する。最終ターゲット基地局を選択する前に、ＭＳＳ３００は、サービング基地局３１０及び隣接基地局から送信されるパイロットチャンネル信号のＣＩＮＲをスキャニングしようとする場合に、サービング基地局３１０にＭＯＢ_ＳＣＮ_ＲＥＱメッセージを送信する(ステップ３２５)。ここで、ＭＳＳ３００がスキャン要求をする時点は、パイロットチャンネル信号のＣＩＮＲスキャニング動作と直接的な関連がないため、その具体的な説明は 省略する。ＭＯＢ_ＳＣＮ_ＲＥＱメッセージを受信したサービング基地局３１０は、ＭＳＳ３００がスキャニングする情報を含むＭＯＢ_ＳＣＮ_ＲＳＰメッセージをＭＳＳ３００に送信する(ステップ３２７)。スキャニング情報を含むＭＯＢ_ＳＣＮ_ＲＳＰメッセージを受信したＭＳＳ３００は、ＭＯＢ_ＮＢＲ_ＡＤＶメッセージの受信を通じて認識された隣接基地局と、ＭＯＢ_ＢＳＨＯ_ＲＥＱメッセージの受信を通じて認識されたハンドオーバー可能なターゲット基地局と、サービング基地局３１０に対して、ＭＯＢ_ＳＣＮ_ＲＳＰメッセージに含まれたパラメーター、すなわちスキャン区間によりパイロットチャンネル信号のＣＩＮＲスキャニングを遂行する(ステップ３２９)。
【００４４】
ＭＳＳ３００はハンドオーバーする最終ターゲット基地局を選択した後に、ＭＯＢ_ＢＳＨＯ-ＲＥＱメッセージに対する応答メッセージであるＭＳＳハンドオーバー応答(ＭＯＢ_ＭＳＳＨＯ_ＲＳＰ)メッセージをサービング基地局３１０に送信する(ステップ３３１)。このＭＯＢ_ＭＳＳＨＯ_ＲＳＰメッセージの構造は、下記の＜表１２＞に示すようである。
【００４５】
【表１２】
2007527176.tif 000014
【００４６】
＜表１２＞に示すように、ＭＯＢ_ＭＳＳＨＯ_ＲＳＰメッセージは、複数のＩＥ、すなわち送信されるメッセージタイプを示す“Ｍａｎａｇｅｍｅｎｔ  Ｍｅｓｓａｇｅ  Ｔｙｐｅ”と、ハンドオーバー手順を始めると予想される時間“Ｅｓｔｉｍａｔｅｄ  ＨＯ  Ｔｉｍｅ”と、ＭＳＳが選択したターゲット基地局に関する情報とを含む。＜表１２＞で、“Ｎ_Ｒｅｃｏｍｍｅｎｄｅｄ”は、ＭＳＳがハンドオーバー可能なターゲット基地局として選択した隣接基地局の個数を示す。さらに、ＭＯＢ_ＭＳＳＨＯ_ＲＳＰメッセージは、Ｎ_Ｒｅｃｏｍｍｅｎｄｅｄで示す隣接基地局の各々に対する識別子と、隣接基地局からＭＳＳが提供可能なサービスレベルに関する情報とを含む。
【００４７】
サービング基地局３１０は、ＭＳＳ３００によって最終ターゲット基地局として選択された隣接基地局にＨＯ_ＰＲＥ_ＮＯＴＩＦＩＣＡＴＩＯＮ_ＲＥＳＰＯＮＳＥメッセージに対する応答メッセージとしてＨＯ_ＣＯＮＦＩＲＭメッセージを送信する(ステップ３３３)。最終ターゲット基地局を選択したＭＳＳ３００は、サービング基地局３１０にＨＯ_ＩＮＤ_ｔｙｐｅが００に設定されたＭＯＢ_ＨＯ_ＩＮＤメッセージを送信する(ステップ３３５)。ＨＯ_ＩＮＤ_ｔｙｐｅが００に設定されたＭＯＢ_ＨＯ_ＩＮＤメッセージを受信すると、サービング基地局３１０は、ＭＳＳ３００がＭＯＢ_ＨＯ_ＩＮＤメッセージに含まれている最終ターゲット基地局にハンドオーバーすることを再認識する。その後、サービング基地局３１０は、ＭＳＳ３００と現在設定されている接続情報を解除し、或いは最終選択したターゲット基地局、すなわち第２のターゲット基地局３３０からハンドオーバー手順が完了したという通報を受信するまで、予め設定した設定時間でＭＳＳ３００との接続情報を維持する(ステップ３３７)。このように、サービング基地局３１０にＭＯＢ_ＨＯ_ＩＮＤメッセージを送信した後に、ＭＳＳ３００は第２のターゲット基地局３３０と残りのハンドオーバー動作を遂行する。
【００４８】
図４は、一般的なＩＥＥＥ８０２.１６ｅ通信システムで、ＭＳＳのハンドオーバーによるネットワーク再進入過程を示す信号フローチャートである。
図４を参照すると、ＭＳＳ４００は、最終ターゲット基地局４５０に接続切り替えを遂行し、最終ターゲット基地局４５０とダウンリンク同期を獲得する。その後、ＭＳＳ４００は、最終ターゲット基地局４５０に送信するＤＬ(ＤｏｗｎＬｉｎｋ)_ＭＡＰメッセージを受信する(ステップ４１１)。ＤＬ_ＭＡＰメッセージは、最終ターゲット基地局４５０のダウンリンクに関連したパラメーターを含むメッセージである。また、ＭＳＳ４００は、最終ターゲット基地局４５０から送信されるＵＬ(ＵｐＬｉｎｋ)_ＭＡＰメッセージを受信する(ステップ４１３)。ＵＬ_ＭＡＰメッセージは、最終ターゲット基地局４５０のアップリンクに関連したパラメーターを含むメッセージである。また、このＵＬ_ＭＡＰメッセージは、最終ターゲット基地局４５０がハンドオーバーを遂行するＭＳＳ４００の高速アップリンクレンジング(ＦＡＳＴ_ＵＬ_ＲＡＮＧＩＮＧ）を支援するために割り当てられた高速アップリンクレンジング情報エレメント(ＦＡＳＴ_ＵＬ_ＲＡＮＧＩＮＧ_ＩＥ)を含む。最終ターゲット基地局４５０がＭＳＳ４００にＦＡＳＴ_ＵＬ_ＲＡＮＧＩＮＧ_ＩＥを割り当てる理由は、ＭＳＳ４００がハンドオーバーを遂行するときに発生する可能性のある遅延を最小化するためである。したがって、ＭＳＳ４００は、ＦＡＳＴ_ＵＬ_ＲＡＮＧＩＮＧ_ＩＥによりコンテンションフリー(ｃｏｎｔｅｎｔｉｏｎ-ｆｒｅｅ)方式で最終ターゲット基地局４５０と初期レンジング(ｉｎｉｔｉａｌ  ｒａｎｇｉｎｇ)が遂行可能になる。ここで、ＵＬ_ＭＡＰメッセージに含まれるＦＡＳＴ_ＵＬ_ＲＡＮＧＩＮＧ_ＩＥは、下記の＜表１３＞に示すようである。
【００４９】
【表１３】
2007527176.tif 000015
【００５０】
＜表１３＞でＦＡＳＴ_ＵＬ_ＲＡＮＧＩＮＧ_ＩＥは、レンジング機会を獲得するＭＳＳの媒体接続制御(Ｍｅｄｉｕｍ  Ａｃｃｅｓｓ  Ｃｏｎｔｒｏｌ：以下、“ＭＡＣ”とする)アドレスと、ＦＡＳＴ_ＵＬ_ＲＡＮＧＩＮＧに対する開始オフセット値を含む領域情報を提供するＵＩＵＣ(Ｕｐｌｉｎｋ  Ｉｎｔｅｒｖａｌ  Ｕｓａｇｅ  Ｃｏｄｅ)と、ＭＳＳ４００に割り当てられたコンテンションフリー方式のレンジング機会区間のオフセット/シンボルの個数/サブチャンネルの個数などに関する情報を含む。ＭＳＳ４００のＭＡＣアドレスは、図２及び図３に示したハンドオーバー過程で、バックボーンネットワークでサービング基地局と最終ターゲット基地局との間に交換されるＨＯ_ＰＲＥ_ＮＯＴＩＦＩＣＡＴＩＯＮメッセージ、ＨＯ_ＰＲＥ_ＮＯＴＩＦＩＣＡＴＩＯＮ_ＲＥＳＰＯＮＳＥメッセージ、及びＨＯ_ＣＯＮＦＩＲＭメッセージのようなメッセージを通じて最終ターゲット基地局４５０に通報される。
【００５１】
ＵＬ_ＭＡＰメッセージを受信したＭＳＳ４００は、ＦＡＳＴ_ＵＬ_ＲＡＮＧＩＮＧ_ＩＥにより最終ターゲット基地局４５０にレンジング要求(ＲＮＧ_ＲＥＱ)メッセージを送信する(ステップ４１５)。ＲＮＧ_ＲＥＱメッセージを受信した最終ターゲット基地局４５０は、ＭＳＳ４００にレンジングのための周波数、時間及び送信電力を補正するための情報を含むレンジング応答(ＲＮＧ_ＲＳＰ)メッセージを送信する(ステップ４１７)。
【００５２】
初期レンジングを完了したＭＳＳ４００と最終ターゲット基地局４５０は、ＭＳＳ４００に対する再認証動作(ＭＳＳ  ＲＥ_ＡＵＴＨＯＲＩＺＡＴＩＯＮ)を遂行する(ステップ４１９)。再認証動作の遂行の際に、ＭＳＳ４００が以前に属しているサービング基地局と最終ターゲット基地局４５０との間に交換されたセキュリティコンテキスト(ｓｅｃｕｒｉｔｙ  ｃｏｎｔｅｘｔ)が変更されない場合に、最終ターゲット基地局４５０はセキュリティコンテキストをそのまま使用する。ここで、ＭＳＳ４００のセキュリティコンテキスト情報を提供するバックボーンネットワークメッセージであるＭＳＳ情報応答(ＭＳＳ_ＩＮＦＯ_ＲＳＰ)メッセージは、下記の＜表１４＞に示すような構造を有する。
【００５３】
【表１４】
2007527176.tif 000016
2007527176.tif 000017
【００５４】
＜表１４＞で、ＭＳＳ_ＩＮＦＯ_ＲＳＰメッセージは、 サービング基地局に登録されているＭＳＳのＩＤ情報と、各ＭＳＳに関するセキュリティ関連情報(Ｓｅｃｕｒｉｔｙ  Ａｓｓｏｃｉａｔｉｏｎ  Ｉｎｆｏｒｍａｔｉｏｎ)のようなセキュリティコンテキスト情報と、各ＭＳＳに対するネットワークサービス情報と、各ＭＳＳの機能(ｃａｐａｂｉｌｉｔｙ)情報とを含む。
【００５５】
最終ターゲット基地局４５０とＭＳＳ４００に対する再認証動作が完了すると、ＭＳＳ４００は、最終ターゲット基地局４５０に登録要求(ＲＥＧ_ＲＥＱ)メッセージを送信する(ステップ４２１)。ＲＥＧ_ＲＥＱメッセージは、ＭＳＳ４００の登録情報を含む。最終ターゲット基地局４５０は、ＭＳＳ４００にＲＥＧ_ＲＥＱメッセージに対する応答メッセージである登録応答(ＲＥＧ_ＲＳＰ)メッセージを送信する(ステップ４２３)。最終ターゲット基地局４５０は、ＭＳＳ４００から受信したＲＥＧ_ＲＥＱメッセージに含まれているＭＳＳ４００の登録情報を検出し、ＭＳＳ４００がハンドオーバーを遂行したＭＳＳであることを認識する。したがって、最終ターゲット基地局４５０は、ＭＳＳ４００の以前サービング基地局の接続設定情報と最終ターゲット基地局４５０の接続設定情報をマッピングさせる。最終ターゲット基地局４５０は、実際に受信可能なサービスフローを再設定するために使用されるＴＬＶ(Ｔｙｐｅ  Ｌｅｎｇｔｈ  Ｖａｒｉａｂｌｅ)値を含め、ＭＳＳ_ＩＮＦＯ_ＲＳＰメッセージをＭＳＳ４００に送信する。サービング 基地局と最終ターゲット基地局４５０で、接続設定に関するマッピング情報を含むＴＬＶの構造は、下記の＜表１５＞に示すようである。
【００５６】
【表１５】
2007527176.tif 000018
【００５７】
＜表１５＞で、ＲＥＧ_ＲＳＰメッセージに含まれるＴＬＶは、ＭＳＳ４００がハンドオーバーを遂行する前にサービング基地局で使用した接続識別子(ＣＩＤ)と、ハンドオーバーを遂行した後に最終ターゲット基地局４５０で使用するＣＩＤ情報を提供する。また、ＴＬＶは、ハンドオーバー以前にサービング基地局が提供したサービスフローと異なるサービスを最終ターゲット基地局４５０が提供する場合に、変更されたサービスパラメーターに関する情報を含む。
【００５８】
ＭＳＳ４００は、最終ターゲット基地局４５０とのネットワーク再進入手順を完了し、最終ターゲット基地局４５０を通じて正常な通信サービスを遂行する(ステップ４２５)。
【発明の開示】
【発明が解決しようとする課題】
【００５９】
上述したように、ＩＥＥＥ８０２.１６ｅ通信システムで、現在サービング基地局との通信を維持することが不可能な程度でサービング基地局のパイロット信号のＣＩＮＲが減少する場合に、ＭＳＳは、自分の要求或いは基地局の要求によりサービング基地局とは相互に異なる隣接基地局、すなわち最終ターゲット基地局にハンドオーバーを遂行する。しかしながら、ＩＥＥＥ８０２.１６ｅ通信システムで、ＭＳＳが最終ターゲット基地局とネットワークの再進入動作を遂行する中に、最終ターゲット基地局から送信されるパイロット信号のＣＩＮＲが減少し、最終ターゲット基地局を通じる通信サービスが不可能になる場合に、ＭＳＳはサービング基地局に接続を切り替えることができる。
【００６０】
また、ＭＳＳが最終ターゲット基地局とのハンドオーバーの遂行中にピンポン現象のため、サービング基地局に変更した後に、更にサービング基地局を通じる通信サービスを再開するためには、サービング基地局との初期接続設定手順、すなわちネットワーク再進入動作を遂行しなければならない。したがって、ＭＳＳがハンドオーバーを遂行する中に頻繁にピンポン現象が発生する場合に、ＭＳＳはネットワーク再進入動作も頻繁に遂行するようになり、それによってサービスに遅延をもたらすという問題点を有する。また、ネットワーク再進入動作の頻繁な遂行は、シグナリングロード(ｓｉｇｎａｌｉｎｇ  ｌｏａｄ)を増加させ、システム全体の性能を低下させるという問題点を有する。
【００６１】
したがって、上記した従来技術による問題点を解決するために、本発明の目的は、広帯域無線接続通信システムでハンドオーバーの際にピンポン現象の発生を予め認知してピンポン現象を防止するためのハンドオーバーシステム及び方法を提供することにある。 
また、本発明の目的は、広帯域無線接続通信システムでピンポン現象の発生時に通信サービスの遅延を最小化するハンドオーバーシステム及び方法を提供することにある。
【課題を解決するための手段】
【００６２】
上記した目的を達成するために、本発明は、移動加入者端末機にサービスを提供しているサービング基地局と、前記サービング基地局と隣接したターゲット基地局とを含む広帯域無線接続通信システムで、前記移動加入者端末機のハンドオーバー方法であって、前記サービング基地局と前記移動加入者端末機との間に接続情報が維持されているか否かを示すリソース維持タイプフィールドを含むハンドオーバー要求メッセージを前記サービング基地局から受信する段階と、前記サービング基地局が前記リソース維持タイプフィールド値により接続情報を維持しているかを認知する段階と、を有することを特徴とする。
【００６３】
また、本発明は、移動加入者端末機にサービスを提供しているサービング基地局と、前記サービング基地局と隣接したターゲット基地局とを含む広帯域無線接続通信システムで、前記移動加入者端末機のハンドオーバー方法であって、前記サービング基地局にハンドオーバーを要求する段階と、前記サービング基地局から前記サービング基地局と移動加入者端末機との間に維持される接続情報を設定するか否かを示すリソース維持タイプフィールドを含むハンドオーバー応答メッセージを受信する段階と、前記サービング基地局が前記リソース維持タイプフィールドの値により前記接続情報を維持するか否かを認知する段階と、を有することを特徴とする。
【００６４】
本発明は、移動加入者端末機にサービスを提供するサービング基地局と、前記サービング基地局に隣接したターゲット基地局を含む広帯域無線接続通信システムで、前記サービング基地局によるハンドオーバー遂行方法であって、前記移動加入者端末機に前記サービング基地局と移動加入者端末機との間に維持される接続情報を設定するか否かを示すリソース維持タイプフィールドを含むハンドオーバー要求メッセージを送信する段階と、前記移動加入者端末機からハンドオーバー指示メッセージを受信する段階と、前記リソース維持タイプフィールドの値によって接続情報を維持する段階と、を有することを特徴とする。
【００６５】
さらに、本発明は、移動加入者端末機にサービスを提供するサービング基地局と、前記サービング基地局に隣接したターゲット基地局を含む広帯域無線接続通信システムで、前記サービング基地局によるハンドオーバー遂行方法であって、前記移動加入者端末機からハンドオーバー要求メッセージを受信する段階と、前記移動加入者端末機に前記移動加入者端末機との接続情報を維持しているか否かを示すリソース維持タイプフィールドを送信する段階と、前記移動加入者端末機からハンドオーバー指示メッセージを受信する段階と、前記リソース維持タイプフィールドの値により接続情報を維持する段階と、を有することを特徴とする。
【００６６】
本発明は、移動加入者端末機と、前記移動加入者端末機と通信を遂行するサービング基地局と、複数の隣接基地局とを含む広帯域無線接続通信システムで、ピンポン現象によるサービス遅延を最小化するハンドオーバー方法であって、ａ）前記サービング基地局から前記隣接基地局のうち任意の隣接基地局である最終ターゲット基地局にハンドオーバーすべきであることを検出すると、前記サービング基地局にハンドオーバーを要求する段階と、ｂ）前記ハンドオーバー要求に対応して前記サービング基地局から受信される前記最終ターゲット基地局として選択される少なくとも２個の候補ターゲット基地局に関する情報を検出する段階と、ｃ）前記候補ターゲット基地局の各々から送信される基準信号のキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：ＣＩＮＲ)を測定する段階と、ｄ）前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除く段階と、ｅ）前記第１の候補ターゲット基地局を除いた候補ターゲット基地局の中で前記最終ターゲット基地局を決定し、前記サービング基地局に前記最終ターゲット基地局にハンドオーバーすることを通報する段階と、を有することを特徴とする。
【００６７】
また、本発明は、移動加入者端末機と、前記移動加入者端末機が通信を遂行するサービング基地局と、複数の隣接基地局を有する広帯域無線接続通信システムで、ピンポン現象によるサービス遅延を最小化するハンドオーバー方法であって、ａ）前記サービング基地局から、前記サービング基地局が前記隣接基地局のうちの任意の隣接基地局である最終ターゲット基地局として選択する少なくとも２個の候補ターゲット基地局情報が含まれるハンドオーバー要求を受信し、前記情報を検出する段階と、ｂ）前記候補ターゲット基地局の各々から送信される基準信号のキャリア対干渉雑音比(ＣＩＮＲ)を測定する段階と、ｃ）前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除く段階と、ｄ）前記第１の候補ターゲット基地局を除いた候補ターゲット基地局の中で前記最終ターゲット基地局を決定し、前記サービング基地局に前記最終ターゲット基地局にハンドオーバーすることを通報する段階と、を有することを特徴とする。
【００６８】
本発明は、移動加入者端末機と、前記移動加入者端末機が通信を遂行するサービング基地局と、複数の隣接基地局を有する広帯域無線接続通信システムで、ピンポン現象によるサービス遅延を最小化するハンドオーバー方法であって、ａ）前記サービング基地局は、前記移動加入者端末機が前記隣接基地局の特定隣接 基地局であるターゲット基地局にハンドオーバーすることを示す通報を受信すると、前記移動加入者端末機の接続情報を削除し、或いは予め設定した時間で保有する段階と、ｂ）前記移動加入者端末機が前記ターゲット基地局とネットワーク再進入手順を遂行する中にピンポン現象の発生を認知すると、前記サービング基地局に接続を切り替える段階と、ｃ）前記サービング基地局からハンドオーバー要求又はハンドオーバー応答メッセージを受信する段階と、ｄ）前記それぞれのメッセージを受信することにより、前記メッセージの各々に含まれた前記移動加入者端末機に関する接続情報を維持するか否かを検出して認知する段階と、ｅ）前記サービング基地局が前記移動加入者端末機に関する接続情報を維持している場合に、初期レンジング手順のみを遂行し、前記サービング基地局と通信を再開する段階と、を有することを特徴とする。
【００６９】
本発明は、移動加入者端末機と、前記移動加入者端末機が通信を遂行するサービング基地局と、複数の隣接基地局とを含む広帯域無線接続通信システムで、ピンポン現象によるサービス遅延を最小化するハンドオーバーシステムであって、前記サービング基地局から前記隣接基地局のうちの任意の隣接基地局である最終ターゲット基地局にハンドオーバーすべきであることを検出すると、前記サービング基地局にハンドオーバーを要求し、前記ハンドオーバー要求に対応して前記サービング基地局から受信される前記最終ターゲット基地局として選択される少なくとも２個の候補ターゲット基地局に関する情報を検出し、前記候補ターゲット基地局の各々から送信される基準信号のキャリア対干渉雑音比(ＣＩＮＲ)を測定し、前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除き、前記第１の候補ターゲット基地局を除いた候補ターゲット基地局のうちの前記最終ターゲット基地局を決定し、前記サービング基地局に前記最終ターゲット基地局にハンドオーバーすることを通報する移動加入者端末機と、前記移動加入者端末機のハンドオーバー要求を受信し、これに対応して前記移動加入者端末機が最終ターゲット基地局として選択される少なくとも２個の候補ターゲット基地局に関する情報を送信し、前記移動加入者端末機から最終ターゲット基地局にハンドオーバーすることを示す通報を受信するサービング基地局と、を含むことを特徴とする。
【００７０】
また、本発明は、移動加入者端末機と、前記移動加入者端末機が通信を遂行するサービング基地局と、複数の隣接基地局を有する広帯域無線接続通信システムで、ピンポン現象によるサービス遅延を最小化するハンドオーバーシステムであって、前記サービング基地局から、前記サービング基地局で前記隣接基地局のうちの任意の隣接基地局である最終ターゲット基地局として選択される少なくとも２個の候補ターゲット基地局情報が含まれるハンドオーバー要求を受信してこれを検出し、前記候補ターゲット基地局の各々から送信する基準信号のキャリア対干渉雑音比(ＣＩＮＲ)を測定し、前記測定したＣＩＮＲ値を予め設定されている第１のしきい値と比較し、前記比較結果、前記第１のしきい値未満のＣＩＮＲ値が存在する場合に、前記第１のしきい値未満のＣＩＮＲ値を有する基準信号を送信する第１の候補ターゲット基地局を前記候補ターゲット基地局から除き、前記第１の候補ターゲット基地局を除いた候補ターゲット基地局のうち前記最終ターゲット基地局を決定し、前記サービング基地局に前記最終ターゲット基地局にハンドオーバーすることを通報する移動加入者端末機と、前記移動加入者端末機のハンドオーバーを要求し、これに対応して前記移動加入者端末機から最終ターゲット基地局に関する情報を受信するサービング基地局と、を含むことを特徴とする。
【００７１】
さらに、本発明は、移動加入者端末機と、前記移動加入者端末機にサービスを提供するサービング基地局と、前記サービング基地局に隣接したターゲット基地局とを含む広帯域無線接続通信システムで、ハンドオーバーを遂行するシステムであって、前記サービング基地局にハンドオーバーを要求し、前記サービング基地局から予め設定された接続情報を維持するか否かを示すリソース維持タイプフィールドを含むハンドオーバー応答メッセージを受信し、前記リソース維持タイプフィールドの値により、前記サービング基地局が接続情報を維持するか否かを認知する移動加入者端末機と、前記移動加入者端末機からハンドオーバー要求メッセージを受信し、前記移動加入者端末機に前記移動加入者端末機の接続情報を維持するか否かを示すリソース維持タイプフィールドを含むハンドオーバー応答メッセージを送信し、前記移動加入者端末機からハンドオーバー指示メッセージを受信し、前記リソース維持タイプフィールドの値により接続情報を維持するサービング基地局と、を含むことを特徴とする。
【００７２】
なお、本発明は、移動加入者端末機と、前記移動加入者端末機にサービスを提供するサービング基地局と、前記サービング基地局に隣接したターゲット基地局とを含む広帯域無線接続通信システムで、ハンドオーバーを遂行するシステムであって、前記サービング基地局から前記サービング基地局との接続情報が維持されるか否かを示すリソース維持タイプフィールドが含まれたハンドオーバー要求メッセージを受信し、前記サービング基地局が前記リソース維持タイプフィールドの値に対応して接続情報を維持しているか否かを認知する移動加入者端末機と、前記移動加入者端末機に前記移動加入者端末機と接続情報が維持されるか否かを示すリソース維持タイプフィールドが含まれたハンドオーバー要求メッセージを送信し、前記移動加入者端末機からハンドオーバー指示メッセージを受信し、前記リソース維持タイプフィールドの値により接続情報を維持するサービング基地局と、を含むことを特徴とする。
【発明の効果】
【００７３】
本発明は、ＯＦＤＭ/ＯＦＤＭＡ方式を使用する広帯域無線接続通信システムであるＩＥＥＥ８０２.１６ｅ通信システムで、ＭＳＳは、サービング基地局と複数のターゲット基地局との間に頻繁なハンドオーバーが発生する、すなわちピンポン現象が発生する可能性がある状況を予め認知できる。すなわち、ＰＰ_ＴＨＲＥＳＨＯＬＤを設定し、ＰＰ_ＴＨＲＥＳＨＯＬＤより低いＣＩＮＲ値を有する基地局にハンドオーバーの遂行を防止する。したがって、ＭＳＳは、ピンポン現象が発生可能な状況を最大限防止することができる効果を有する。また、基地局が、ＭＳＳの接続情報をチャンネル状態に柔軟に維持又は削除可能にすることによって、ＭＳＳが接続情報を維持している最終ターゲット基地局とハンドオーバーを遂行する場合に、初期レンジングのみを遂行するネットワーク再進入手順を遂行することによって、迅速に通信サービスを再開することが可能である効果を有する。
【発明を実施するための最良の形態】
【００７４】
以下、本発明の望ましい実施形態を添付の図面を参照して詳細に説明する。
下記に、本発明に関連した公知の機能又は構成に関する具体的な説明が本発明の要旨を不明にすると判断された場合に、その詳細な説明を省略する。
【００７５】
本発明は、広帯域無線接続(Ｂｒｏａｄｂａｎｄ  Ｗｉｒｅｌｅｓｓ  Ａｃｃｅｓｓ：ＢＷＡ)通信システムであるＩＥＥＥ８０２.１６ｅ通信システムにおいて、移動加入者端末機(Ｍｏｂｉｌｅ  Ｓｕｂｓｃｒｉｂｅｒ  Ｓｔａｔｉｏｎ：以下、“ＭＳＳ”とする）がハンドオーバーしようとするターゲット基地局(ｔａｒｇｅｔ  Ｂａｓｅ  Ｓｔａｔｉｏｎ)とハンドオーバー(ｈａｎｄｏｖｅｒ)動作を遂行する中にピンポン現象(ｐｉｎｇｐｏｎｇ  ｅｆｆｅｃｔ）が発生することを認知し、それによるサービス遅延を最小化する方式を提案する。すなわち、本発明は、ＭＳＳがターゲット基地局とハンドオーバー動作を遂行する中に、ターゲット基地局へのハンドオーバーを取消し、サービング基地局に接続切り替え時にピンポン現象の発生を認知してこのピンポン現象を防止する方式を提案する。また、サービング基地局は、ＭＳＳの接続情報をチャンネル状態により維持することによって、ＭＳＳがハンドオーバーによる接続設定を迅速に遂行する方式を提案する。ここで、ＩＥＥＥ８０２.１６ｅ通信システムは、直交周波数分割多重(ＯＦＤＭ)方式及び直交周波数分割多重接続(ＯＦＤＭＡ)方式を使用する広帯域無線接続通信システムである。ＩＥＥＥ８０２.１６ｅ通信システムは、ＯＦＤＭ/ＯＦＤＭＡ方式を使用するために複数の副搬送波を用いて物理チャンネル信号を送信し、それによって高速データ送信が可能で、多重セル構造を支援してＭＳＳの移動性を支援する通信システムである。
【００７６】
図５は、本発明の実施形態によるＩＥＥＥ８０２.１６ｅ通信システムで、ハンドオーバーによるピンポン現象が発生する場合にＭＳＳの概略的な動作過程を示すフローチャートである。
【００７７】
図５を参照すると、ステップ５０２で、ＭＳＳは、ＭＳＳにサービスを提供している基地局、すなわちサービング基地局にＭＳＳハンドオーバー要求(Ｍｏｂｉｌｅ  Ｓｕｂｓｃｒｉｂｅｒ  Ｓｔａｔｉｏｎ  ＨａｎｄＯｖｅｒ  Ｒｅｑｕｅｓｔ：以下、“ＭＯＢ_ＭＳＳＨＯ_ＲＥＱ”とする)メッセージを送信し、これに対する応答として基地局ハンドオーバー応答(Ｂａｓｅ  Ｓｔａｔｉｏｎ  ＨａｎｄＯｖｅｒ  Ｒｅｓｐｏｎｓｅ：以下、“ＭＯＢ_ＢＳＨＯ_ＲＳＰ”とする)メッセージを受信する。また、ＭＳＳは、サービング基地局から基地局ハンドオーバー要求(ＭＯＢ_ＢＳＨＯ_ＲＥＱ)メッセージを受信し、これに対する応答としてＭＳＳハンドオーバー応答(ＭＯＢ_ＭＳＳＨＯ_ＲＳＰ)メッセージを送信する。その次に、ステップ５０４に進行する。ステップ５０４で、ＭＳＳは、サービング基地局と送受信するハンドオーバー要求又は応答メッセージに含まれたハンドオーバー可能な最終ターゲット基地局候補リスト情報を検出して認知し、ステップ５０６に進行する。ステップ５０６で、ＭＳＳは、ハンドオーバー可能な最終ターゲット基地局候補の各々に対してキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、“ＣＩＮＲ”とする)を測定する。その後、ステップ５０８で、ＭＳＳは、後述するピンポン現象の発生を認知するか否かによりハンドオーバー指示タイプ(ＭＯＢ_ＨＯ_ＩＮＤ_ｔｙｐｅ）を決定し、ステップ５１０に進行する。ステップ５１０で、ＭＳＳは、決定されたタイプ情報が含まれたＭＯＢ_ＨＯ_ＩＮＤメッセージをサービング基地局に送信する。
【００７８】
図６は、本発明の実施形態によるＩＥＥＥ８０２.１６ｅ通信システムで、ハンドオーバー状況が発生したときにピンポン現象の発生を認知するか否かによるＭＳＳの動作過程を示すフローチャートである。
【００７９】
図６を参照すると、ステップ６０２で、ＭＳＳは、ハンドオーバーを遂行すべき状況の発生を検出すると、隣接基地局に対するカウンター初期値ｉが‘０’に設定され、ハンドオーバー取り消しフラグ(ＨＯ_ＣＡＮＣＥＬ_ＦＬＡＧ)を‘０’に設定し、ステップ６０４に進行する。すなわち、ＭＳＳは、ハンドオーバー可能な最終ターゲット基地局候補リストに属する隣接基地局の各々に対してＣＩＮＲ値を測定するための初期化手順を遂行する。ＨＯ_ＣＡＮＣＥＬ_ＦＬＡＧは、ハンドオーバー可能な最終ターゲット基地局候補リストに属する隣接基地局の中で、サービング基地局を除いた他の隣接基地局が最終ターゲット基地局として選択されない場合を知らせるためのフラグである。ステップ６０４で、ＭＳＳは、サービス品質(ＱｏＳ)及びＣＩＮＲを複合的に考慮して良い順に整列された隣接基地局の中で、一定条件を満たす最終ターゲット基地局候補リストに属する基地局の各々に対してＣＩＮＲ値をすべて測定したか否かを判定する。その結果、ＣＩＮＲ値が測定されない基地局が存在する場合、すなわち、ｉ＜Ｎ_Ｎｅｉｇｈｂｏｒｓである場合に、ステップ６０６に進行する。
【００８０】
ステップ６０６で、ＭＳＳは、整列された最終ターゲット基地局候補のうち、上位に整列された基地局からＣＩＮＲ値(以下、“ＣＩＮＲ_ＢＳ”とする)が予め設定したピンポンしきい値(ＰＰ_ＴＨＲＥＳＨＯＬＤ)未満であるか否かを検査する。ここで、ＰＰ_ＴＨＲＥＳＨＯＬＤは、ＭＳＳが属したサービング基地局からサービング基地局以外の他の基地局にハンドオーバーすることを判断するしきい値であるハンドオーバーしきい値(ＨＯ_ＴＨＲＥＳＨＯＬＤ)よりは大きい値に設定される。言い換えれば、このＰＰ_ＴＨＲＥＳＨＯＬＤは、ＭＳＳが信頼性のあるターゲット基地局にハンドオーバーするように設定される。すなわち、ＰＰ_ＴＨＲＥＳＨＯＬＤは、ピンポン現象による不必要なハンドオーバーを防止するために設定される。その検査結果、ＣＩＮＲ_ＢＳがＰＰ_ＴＨＲＥＳＨＯＬＤ未満である場合に、ＭＳＳはステップで６０８に進行する。
【００８１】
ステップ６０８で、ＭＳＳは、ＣＩＮＲ_ＢＳ値がＰＰ_ＴＨＲＥＳＨＯＬＤ未満であるため、隣接基地局を最終ターゲット基地局候補リストから削除し、ステップ６１０に進行する。ステップ６１０で、ＭＳＳは、ｉ値を１ずつ増加させてリストの次の順番の基地局に対してステップ ６０４からの過程を反復遂行する。もし、ステップ６０６で、隣接基地局のＣＩＮＲがＰＰ_ＴＨＲＥＳＨＯＬＤ以上である場合、すなわちＣＩＮＲ_ＢＳ≧ＰＰ_ＴＨＲＥＳＨＯＬＤである場合に、ステップ６１２に進行する。ステップ６１２で、ＭＳＳは、基地局が隣接基地局である、サービング基地局であるかを判定する。その結果、基地局がサービング基地局である場合に、ＭＳＳは、ステップ６１４でＨＯ_ＣＡＮＣＥＬ_ＦＬＡＧを‘１’に設定し、ステップ６１０を遂行する。その反面、基地局が隣接基地局である場合に、ステップ６１６に進行する。ステップ６１６で、ＭＳＳは、現在まで設定されたＨＯ_ＣＡＮＣＥＬ_ＦＬＡＧが‘１’であるか否かを判定する。その結果、ＨＯ_ＣＡＮＣＥＬ_ＦＬＡＧが‘１’でない場合にステップ６１８に進行する。一方、ＨＯ_ＣＡＮＣＥＬ_ＦＬＡＧが‘１’である場合にステップ６２０に進行する。ステップ６１８で、ＭＳＳは、基地局をハンドオーバーする最終ターゲット基地局に決定し、ステップ６２２に進行する。ステップ６２２で、ＭＳＳは、現在サービング基地局にＭＯＢ_ＨＯ_ＩＮＤ_ｔｙｐｅメッセージ(ｔｙｐｅ＝００)を送信し、決定された最終ターゲット基地局にハンドオーバーすることを知らせる。ステップ６２０で、ＭＳＳがＨＯ_ＣＡＮＣＥＬ_ＦＬＡＧを‘０’に再設定し、基地局を最終ターゲット基地局として決定し、ステップ６２２に進行する。
【００８２】
ステップ６０６で、ＭＳＳが、サービング基地局を含む最終ターゲット候補リストに含まれたすべての基地局に対してＣＩＮＲを測定した結果に基づいて、ＰＰ_ＴＨＲＥＳＨＯＬＤ値を超える基地局を検出しない場合に、ステップ６０４からステップ６２４に進行する。ステップ６２４で、ＭＳＳは、現在ＨＯ_ＣＡＮＣＥＬ_ＦＬＡＧが‘１’に設定されるかを判定する。その結果、ＨＯ_ＣＡＮＣＥＬ_ＦＬＡＧが‘１’に設定された場合、ステップ６２６に進行する。ステップ６２６で、ＭＳＳは、サービング基地局にＨＯ_ＩＮＤ_ｔｙｐｅが‘０１’、すなわちハンドオーバー取り消し(ＨＯ_ＣＡＮＣＥＬ)情報が含まれるＨＯ_ＩＮＤメッセージを送信してハンドオーバー取り消しを通報する。ステップ６２４で、ＨＯ_ＣＡＮＣＥＬ_ＦＬＡＧが‘１’に設定されない場合に、ステップ６２８に進行する。すなわち、ステップ６２８で、ＭＳＳは、サービング基地局にＨＯ_ＩＮＤ_ｔｙｐｅが‘０１’、すなわちハンドオーバー拒絶(ＨＯ_ＲＥＪＥＣＴ)情報が含まれたＨＯ_ＩＮＤメッセージを送信し、ハンドオーバー拒絶をこのサービング基地局に通報する。
【００８３】
上述したように、ＭＳＳは、ハンドオーバー可能な最終ターゲット基地局候補リストに属する隣接基地局を最適のハンドオーバー条件を有する基地局から整列するため、ＭＳＳがピンポン現象の発生を認知するか否かの手順を通じてサービング基地局を除いた他の隣接基地局のうちの一つを最終ターゲット基地局として選択する場合に、選択されたターゲット基地局は、ピンポン現象の認知可否の手順を遂行しないまた他の隣接基地局より良い条件を有する基地局に該当するため、サービング基地局にＨＯ_ＲＥＬＥＡＳＥオプションを含むＭＯＢ_ＨＯ_ＩＮＤメッセージを送信し、最終ターゲット基地局として選択された隣接基地局へのハンドーバーを遂行することに決定可能である。
【００８４】
図７は、本発明の実施形態によるＩＥＥＥ８０２.１６ｅ通信システムで、ＭＳＳがピンポン現象を認知するための基地局別ＣＩＮＲ値の関係を示す。
図７を参照して、ＭＳＳがピンポン現象を認知するために必要なＣＩＮＲ値及びしきい値について説明する。ＰＰ_ＴＨＲＥＳＨＯＬＤ７００は、ハンドオーバー後に正常な通信サービスを受信するのに適合したＣＩＮＲ値のしきい値を意味する。ＨＯ_ＴＨＲＥＳＨＯＬＤ７５０は、ハンドオーバー可能なターゲット基地局を選択するためにＭＳＳで予め定められたＣＩＮＲ値のしきい値を意味する。一方、参照番号７１０はサービング基地局のＣＩＮＲ値を示し、参照番号７２０は第１の隣接基地局のＣＩＮＲ値を示し、参照番号７３０は第２の隣接基地局のＣＩＮＲ値を示す。すなわち、ＭＳＳが任意の基地局に対して測定したＣＩＮＲ値がＰＰ_ＴＨＲＥＳＨＯＬＤより低く、ＨＯ_ＴＨＲＥＳＨＯＬＤより高い場合に、ピンポン現象が 発生することが可能である。
【００８５】
図７に示す各基地局別ＣＩＮＲ値の関係を説明する。参照番号７０２で、ＭＳＳが測定したサービング基地局のＣＩＮＲ値７１０はＨＯ_ＴＨＲＥＳＨＯＬＤ７５０より小さく、第１の隣接基地局のＣＩＮＲ７２０及び第２の隣接基地局のＣＩＮＲ値７３０がサービング基地局ＣＩＮＲ値７１０より大きいため、第１の隣接基地局及び第２の隣接基地局は、ハンドオーバー可能なターゲット基地局として選択されることが可能である。しかしながら、第１の隣接基地局及び第２の隣接基地局は、各ＣＩＮＲの値がＰＰ_ＴＨＲＥＳＨＯＬＤより小さいため、最終ターゲット基地局に選択されない。もし、ＭＳＳがＰＰ_ＴＨＲＥＳＨＯＬＤを無視し、第２の隣接基地局にハンドオーバーの遂行中に第２の隣接基地局のＣＩＮＲ値を更に測定すると、ＨＯ_ＴＨＲＥＳＨＯＬＤより小さくなる可能性が高い。これは、ＭＳＳが他の基地局に再びハンドオーバーを遂行するべきピンポン現象が発生されることを意味する。
【００８６】
次に、ステップ７０４で、ＭＳＳは、サービング基地局のＣＩＮＲ値７１０と第１の隣接基地局のＣＩＮＲ値７２０を測定した結果、ＣＩＮＲ値がＨＯ_ＴＨＲＥＳＨＯＬＤより大きく測定され、第２の隣接基地局のＣＩＮＲ値７３０はＨＯ_ＴＨＲＥＳＨＯＬＤより小さく測定されることがわかる。参照番号７０４でも、ＰＰ_ＴＨＲＥＳＨＯＬＤより大きく測定されるＣＩＮＲ値に該当する基地局がないため、最終ターゲット基地局は存在しない。
【００８７】
次に、参照番号７０６で、ＭＳＳは、第１の隣接基地局のＣＩＮＲ値７２０、サービング基地局のＣＩＮＲ値７１０、第２の隣接基地局のＣＩＮＲ値７３０の大きさ順に各ＣＩＮＲ値が測定され、これらすべてはＨＯ_ＴＨＲＥＳＨＯＬＤより大きく測定されることがわかる。この場合にも、参照番号７０４と同一にＰＰ_ＴＨＲＥＳＨＯＬＤより大きく測定されるＣＩＮＲ値に該当する基地局がないため、最終ターゲット基地局は存在しない。
【００８８】
参照番号７０８で、ＭＳＳは、第１の隣接基地局のＣＩＮＲ値７２０を測定した結果、ＰＰ_ＴＨＲＥＳＨＯＬＤより大きく、第２の隣接基地局のＣＩＮＲ値７３０及びサービング基地局のＣＩＮＲ値７１０を測定した結果、ＰＰ_ＴＨＲＥＳＨＯＬＤよりは小さく、ＨＯ_ＴＨＲＥＳＨＯＬＤよりは大きいことがわかる。したがって、ＭＳＳは、ハンドオーバーする最終ターゲット基地局として第１の隣接基地局を選択することが可能である。
【００８９】
図８は、本発明の実施形態によるＩＥＥＥ８０２.１６ｅ通信システムで、ハンドオーバーによるネットワーク再進入手順の遂行中にピンポン現象が発生する場合にＭＳＳの動作過程を示すフローチャートである。
【００９０】
図８を参照すると、ステップ８０２で、ＭＳＳは、図２及び図３のハンドオーバーに関連した一連の手順を通じて、最終ターゲット基地局とネットワーク再進入手順を遂行する中にステップ８０４に進行する。ステップ８０４で、ＭＳＳは最終ターゲット基地局のＣＩＮＲ値を測定し、ステップ８０６に進行する。ステップ８０６で、ＭＳＳは、測定した最終ターゲット基地局のＣＩＮＲ値、すなわちＣＩＮＲ_ＢＳとＰＰ_ＴＨＲＥＳＨＯＬＤとを比較する。その比較結果、ＣＩＮＲ_ＢＳがＰＰ_ＴＨＲＥＳＨＯＬＤより大きい場合に、ステップ８０２に戻って、最終ターゲット基地局とのネットワーク再進入の手順を連続して遂行する。一方、ステップ８０６の結果、ＣＩＮＲ_ＢＳがＰＰ_ＴＨＲＥＳＨＯＬＤより小さい場合に、ステップ８０８に進行する。ステップ８０８で、ＰＰ_ＴＨＲＥＳＨＯＬＤよりＣＩＮＲ_ＢＳ値が小さいため、ＭＳＳは、ピンポン現象が発生可能であることを認知し、これに対応する手順である図６の過程を遂行する。
【００９１】
図９は、本発明の実施形態によるＩＥＥＥ８０２.１６ｅ通信システムで、ハンドオーバーによるネットワーク再進入手順の遂行中に発生するピンポン現象を認知するための各基地局別ＣＩＮＲ値の関係を示す。
【００９２】
図９を参照すると、参照番号９０２で、ＭＳＳが測定した最終ターゲット基地局のＣＩＮＲ値９２０はＰＰ_ＴＨＲＥＳＨＯＬＤより大きく、サービング基地局ＣＩＮＲ値９１０はＨＯ_ＴＨＲＥＳＨＯＬＤより小さい。したがって、ＭＳＳは、最終 ターゲット基地局とハンドオーバーを遂行する。参照番号９０４及び９０６で、ＭＳＳが最終ターゲット基地局のＣＩＮＲ値９２０を測定した結果、ＰＰ_ＴＨＲＥＳＨＯＬＤより大きく、サービング基地局のＣＩＮＲ値９１０はＨＯ_ＴＨＲＥＳＨＯＬＤより大きい。したがって、ＭＳＳは、最終ターゲット基地局とハンドオーバーを遂行する。参照番号９０８で、ＭＳＳがサービング基地局と最終ターゲット基地局のＣＩＮＲ値を測定した結果、これら値はすべてＰＰ_ＴＨＲＥＳＨＯＬＤよりは小さく、ＨＯ_ＴＨＲＥＳＨＯＬＤよりは大きい。したがって、ＭＳＳは、最終ターゲット基地局とハンドオーバーして通信を遂行することが不可能で、以後に他の基地局にハンドオーバーしなければならないピンポン現象が発生可能であることを認知する。
【００９３】
図１０は、本発明の実施形態によるＩＥＥＥ８０２.１６ｅ通信システムで、ＭＳＳがサービング基地局が接続情報を維持しているかを認知する過程を示すフローチャートである。
【００９４】
図１０を参照すると、ステップ１００２で、ＭＳＳは、サービング基地局からＭＯＢ_ＢＳＨＯ_ＲＥＱ又はＭＯＢ_ＢＳＨＯ_ＲＳＰメッセージを受信し、ステップ１００４に進行する。ここで、従来技術で説明したように、サービング基地局は、ＭＳＳが送信したＭＯＢ_ＨＯ_ＩＮＤメッセージ(“ＨＯ_ＩＮＤ_Ｔｙｐｅ＝００”)を受信した後に、ＭＳＳと接続情報を削除し、或いは最終ターゲット基地局からハンドオーバー手順が完了したことを示す通報を受信するまで接続情報を一定時間維持できる。サービング基地局がＭＳＳとの接続情報を削除した場合に、サービング基地局は、ＭＳＳが最終ターゲット基地局とネットワークの再進入手順を遂行する中に発生するピンポン現象のため、またサービング基地局に接続を切り替えるときに、ＭＳＳに関する情報を有していない。従って、サービング 基地局とＭＳＳは、一般的な初期の通信手順を遂行する。また、ＭＳＳは、サービング基地局がＭＳＳに関する接続情報を削除し、一定時間そのまま接続情報を維持していることを判定可能であると、ＭＳＳは、各場合に応じて手順を遂行し、それによってピンポン現象によるオーバーヘッドを縮小することができる。
【００９５】
本発明では、上記したように、ＭＳＳからＭＯＢ_ＨＯ_ＩＮＤ(“ＨＯ_ＩＮＤ_ｔｙｐｅ＝００”)メッセージを受信したサービング基地局が、ＭＳＳの接続情報を削除し、或いは一定時間間この接続情報を維持しているかをＭＳＳに通報することによって、サービング基地局との再接続設定で発生可能なサービス遅延を最小化する方式を提供する。下記に、この方式を＜表１６＞及び＜表１７＞を参照して説明する。
【００９６】
＜表１６＞と＜表１７＞は、本発明で提案する修正されたハンドオーバーメッセージのフォーマットである。修正されたハンドオーバーメッセージは、既存のハンドオーバー手順の遂行時にＭＳＳとサービング基地局との間にやりとりするハンドオーバーメッセージのうち、サービング基地局が送信するＭＯＢ_ＢＳＨＯ_ＲＳＰとＭＯＢ_ＢＳＨＯ_ＲＥＱメッセージにＭＳＳに対するリソース接続情報の維持或いは削除に関する情報(Ｒｅｓｏｕｒｃｅ_Ｒｅｍａｉｎ_Ｔｙｐｅ)及びリソース保有時間(Ｒｅｓｏｕｒｃｅ_Ｒｅｔａｉｎ_Ｔｉｍｅ)情報を追加したものである。
【００９７】
【表１６】
2007527176.tif 000019
【００９８】
＜表１６＞に示すように、本発明で新しく提案するＭＯＢ_ＢＳＨＯ_ＲＳＰメッセージは、既存のＭＯＢ_ＢＳＨＯ_ＲＳＰメッセージにＲｅｓｏｕｒｃｅ_Ｒｅｍａｉｎ_ＴｙｐｅフィールドとＲｅｓｏｕｒｃｅ_Ｒｅｔａｉｎ_Ｔｉｍｅフィールドを新しく追加した構造である。Ｒｅｓｏｕｒｃｅ_Ｒｅｍａｉｎ_Ｔｙｐｅフィールドは、サービング基地局がＭＳＳに関する情報を削除するか、或いは維持するかに対する情報を提供する。＜表１６＞に示すように、Ｒｅｓｏｕｒｃｅ_Ｒｅｍａｉｎ_Ｔｙｐｅフィールド値が‘０’であると、サービング基地局は、ＭＳＳに関する接続情報を削除する。一方、Ｒｅｓｏｕｒｃｅ_Ｒｅｍａｉｎ_Ｔｙｐｅフィールド値が‘１’であると、サービング基地局は、ＭＳＳに関する接続情報をＲｅｓｏｕｒｃｅ_Ｒｅｔａｉｎ_Ｔｉｍｅフィールド時間の間に維持する。上記の一定時間に関する情報は、Ｒｅｓｏｕｒｃｅ_Ｒｅｔａｉｎ_Ｔｉｍｅフィールドにフレーム単位で保存される。例えば、ＭＳＳが‘１’に設定されたＲｅｓｏｕｒｃｅ_Ｒｅｍａｉｎ_Ｔｙｐｅと‘１０’に設定されたＲｅｓｏｕｒｃｅ_Ｒｅｔａｉｎ_ＴｉｍｅのＯＢ_ＢＳＨＯ_ＲＳＰメッセージを受信すると、サービング基地局は、ＭＯＢ_ＨＯ_ＩＮＤメッセージ(“ＨＯ_ＩＮＤ_ｔｙｐｅ＝００”)を受信した後に、１０フレームの間はＭＳＳに関する接続情報を削除せずに維持する。もし、ＭＳＳが‘１’に設定されたＲｅｓｏｕｒｃｅ_Ｒｅｍａｉｎ_Ｔｙｐｅと‘０’に設定されたＲｅｓｏｕｒｃｅ_Ｒｅｔａｉｎ_ＴｉｍｅのＭＯＢ_ＢＳＨＯ_ＲＳＰメッセージを受信すると、ＭＳＳはサービング基地局との登録手順を遂行する中に予め交渉された時間でＭＳＳに関する接続情報を削除することなく維持することを認知する。ここで、Ｒｅｓｏｕｒｃｅ_Ｒｅｔａｉｎ_Ｔｉｍｅフィールドはフレーム単位を有し、フレーム単位は時間単位と同じ意味を有する。例えば、１フレーム単位は、２０ｍｓの時間単位に変換可能である。
【００９９】
サービング基地局は、ＭＳＳとの登録手順を遂行する中に予め交渉されたＭＳＳの接続情報の維持時間を変更する必要がある場合に、一例としてサービング基地局のバッファ容量が不足してターゲット基地局にハンドオーバーしようとするＭＳＳの接続情報を予め定められた時間だけ維持しにくい場合、或いはサービング基地局のバッファ状況が以前登録手順の遂行時より良くなり、ハンドオーバーしようとするＭＳＳの接続情報を予め設定した時間より長く維持することが可能な場合に、ＭＯＢ_ＢＳＨＯ_ＲＳＰメッセージ又はＭＯＢ_ＢＳＨＯ_ＲＥＱメッセージのＲｅｓｏｕｒｃｅ_Ｒｅｔａｉｎ_Ｔｉｍｅ値を０でない任意の値に設定可能である。
【０１００】
下記の＜表１７＞は、本発明で新しく提案するＭＯＢ_ＢＳＨＯ_ＲＥＱメッセージ構造を示す。
【０１０１】
【表１７】
2007527176.tif 000020
【０１０２】
＜表１７＞に示すように、ＭＯＢ_ＢＳＨＯ_ＲＥＱメッセージは、ＭＯＢ_ＢＳＨＯ_ＲＳＰメッセージと同様に、既存のＭＯＢ_ＢＳＨＯ_ＲＥＱメッセージに接続情報を削除又は一定時間維持することを知らせるＲｅｓｏｕｒｃｅ_Ｒｅｍａｉｎ_Ｔｙｐｅフィールドと、接続情報を一定時間維持するとした場合の一定時間を知らせるＲｅｓｏｕｒｃｅ_Ｒｅｔａｉｎ_Ｔｉｍｅフィールドを追加した構造である。サービング基地局は、ＭＯＢ_ＢＳＨＯ_ＲＳＰメッセージと同一にＲｅｓｏｕｒｃｅ_Ｒｅｔａｉｎ_Ｔｉｍｅフィールド値をＭＳＳとの登録手順を遂行する中に予め交渉された時間をそのまま適用すると、‘０’に設定する。また、サービング基地局は、任意に接続情報維持時間を決定すると、‘０’でなく任意の値にＲｅｓｏｕｒｃｅ_Ｒｅｔａｉｎ_Ｔｉｍｅフィールド値を設定する。
【０１０３】
一方、サービング基地局がハンドオーバーを遂行したＭＳＳの接続情報を維持している場合に、ピンポン現象によるハンドオーバーの遂行だけでなく、ＭＳＳがサービング基地局とハンドオーバー手順を遂行する中にドロップ状況の発生時にＭＳＳがドロップ復旧(ｄｒｏｐ-ｒｅｃｏｖｅｒｙ)に要求されるターゲット基地局を発見し、ドロップ復旧対象ターゲット基地局との通信サービスを遂行する場合にも有用に使用される。すなわち、サービング基地局がＭＳＳとの接続情報を維持している情報をＭＳＳが認知していると、ドロップ復旧対象ターゲット基地局にサービング基地局からＭＳＳ自分の接続情報をバックボーンネットワークを通じて受信することが可能であることを通報することによって、ドロップ復旧手順を短時間に遂行することができる。
【０１０４】
図１０を参照して、ステップ１００４で、ＭＳＳは、サービング基地局が送信したＭＯＢ_ＢＳＨＯ_ＲＥＱ又はＭＯＢ_ＢＳＨＯ_ＲＳＰメッセージに含まれたＲｅｓｏｕｒｃｅ_Ｒｅｍａｉｎ_Ｔｙｐｅフィールドに記録された値により次のステップを進行する。もし、Ｒｅｓｏｕｒｃｅ_Ｒｅｍａｉｎ_Ｔｙｐｅフィールドに‘０’が記録された場合に、ステップ１００６に進行する。ステップ１００６で、ＭＳＳは、サービング基地局が該当ＭＳＳの接続情報を削除することを認知する。ステップ１００４で、Ｒｅｓｏｕｒｃｅ_Ｒｅｍａｉｎ_Ｔｙｐｅフィールドに‘１’が記録された場合に、ステップ１００８に進行する。ステップ１００８で、ＭＳＳは、ＭＯＢ_ＢＳＨＯ_ＲＥＱ又はＭＯＢ_ＢＳＨＯ_ＲＳＰメッセージに含まれたＲｅｓｏｕｒｃｅ_Ｒｅｔａｉｎ_Ｔｉｍｅフィールドに‘０’が記録されているかをチェックする。その結果、Ｒｅｓｏｕｒｃｅ_Ｒｅｔａｉｎ_Ｔｉｍｅフィールドに‘０’が記録された場合に、ステップ１０１０に進行する。ステップ１０１０で、ＭＳＳは、サービング基地局との登録手順を遂行する中に予め交渉した時間でサービング基地局が自分の接続情報を維持することを認知する。一方、ステップ１００８で、ＭＳＳは、Ｒｅｓｏｕｒｃｅ_Ｒｅｔａｉｎ_Ｔｉｍｅフィールドに‘０’でなく任意の値が記録された場合に、ステップ１０１２に進行する。ステップ１０１２で、ＭＳＳは、サービング基地局がＲｅｓｏｕｒｃｅ_Ｒｅｔａｉｎ_Ｔｉｍｅフィールドに記録された時間で自分の接続情報を維持することを認知する。したがって、サービング基地局がＭＳＳの接続情報を維持している間に、ＭＳＳが他のターゲット基地局と通信する中に、更にサービング基地局にハンドオーバーする場合に、ネットワーク再進入手順のレンジング手順だけを遂行してサービング基地局と通信を再開することが可能である。
【０１０５】
図１１は、本発明の実施形態によるＩＥＥＥ８０２.１６ｅ通信システムで、サービング基地局のＭＳＳ接続情報の維持可否によるＭＳＳのハンドオーバー動作過程を示すフローチャートである。
【０１０６】
図１１を参照すると、ステップ１１０２で、ＭＳＳは、最終ターゲット基地局とネットワーク再進入手順の遂行中にステップ１１０４に進行する。ステップ１１０４で、ＭＳＳは最終ターゲット基地局のＣＩＮＲ値がＰＰ_ＴＨＲＥＳＨＯＬＤより小さい場合、すなわちピンポン現象が発生可能であるかを判定する。その結果、ＭＳＳがピンポン現象が発生しないと認知した場合に、ステップ１１０２に戻って、ネットワーク再進入手順を連続的に遂行する。もし、ピンポン現象が発生すると認知した場合に、ＭＳＳはステップ１１０６に進行する。ステップ１１０６で、ＭＳＳは、再びサービング基地局に切り替え、すなわちハンドオーバーを遂行することを決定してステップ１１０８に進行する。ステップ１１０８で、ＭＳＳは、サービング基地局が自分の接続情報を維持しているかを判定する。ここで、ＭＳＳは、サービング基地局から受信したＭＯＢ_ＢＳＨＯ_ＲＳＰメッセージ或いはＭＯＢ_ＢＳＨＯ_ＲＥＱメッセージを通じて獲得した情報(Ｒｅｓｏｕｒｃｅ_Ｒｅｍａｉｎ_Ｔｙｐｅ）を用いて接続情報を維持するか否かを判定する。その結果、サービング基地局がＭＳＳの接続情報を維持している場合に、ステップ１１１０に進行する。
【０１０７】
ステップ１１１０で、ＭＳＳは、サービング基地局と同期を獲得してステップ１１１２に進行する。ステップ１１１２で、サービング基地局と同期獲得を終了したＭＳＳは、初期レンジングのためのＲＮＧ_ＲＥＱメッセージにサービング基地局との通信に使用した基本接続識別子(Ｂａｓｉｃ  ＣＩＤ)を含めてサービング基地局に送信する。次に、ステップ１１１４で、ＭＳＳは、サービング基地局からＲＮＧ_ＲＥＱメッセージの送信に対応するＲＮＧ_ＲＳＰメッセージを受信し、ステップ１１１６に進行する。ステップ１１１６で、ＭＳＳは、サービング基地局で維持している接続情報を用いて基本容量の交渉と、認証と、登録に関連した手順を省略し、サービング基地局と通信を再開することが可能である。
【０１０８】
一方、ステップ１１０８で、サービング基地局がＭＳＳの接続情報を削除した場合に、ステップ１１１８に進行する。ステップ１１１８で、ＭＳＳは、サービング基地局と同期し、ステップ１１２０に進行する。ステップ１１２０で、ＭＳＳは、サービング基地局にＲＮＧ-ＲＥＱメッセージを伝送して初期レンジング手順を遂行する。その後、ステップ１１２２を遂行する。ここで、ＭＳＳから伝送されたＲＮＧ-ＲＥＱメッセージは、一般的な初期レンジング手順と同様に０x００００に設定されたＣＩＤを含む。ステップ１１２２で、ＭＳＳは、サービング基地局からＲＮＧ_ＲＳＰメッセージを受信し、ステップ１１２４に進行する。ステップ１１２４で、ＭＳＳは、既存のネットワーク再進入手順、すなわち基本容量の交渉と、認証と、登録に関連した手順をサービング基地局と遂行し、ステップ１１２６に進行する。ステップ１１２６で、ネットワーク再進入手順を終了したＭＳＳは、サービング基地局と通信を再開する。
【０１０９】
ＲＮＧ-ＲＥＱメッセージに含まれる基本ＣＩＤに対するＲＮＧ_ＲＥＱメッセージは、下記の＜表１８＞に示すようなエンコーディング構造を有する。
【０１１０】
【表１８】
2007527176.tif 000021
【０１１１】
＜表１８＞に示すように、基本（Ｂａｓｉｃ）ＣＩＤに対するＲＮＧ_ＲＥＱメッセージエンコーディングは、ＲＮＧ_ＲＥＱメッセージに設定されたＴＬＶ(Ｔｙｐｅ  Ｌｅｎｇｔｈ  Ｖａｌｕｅ）のタイプが基本ＣＩＤであることを示すタイプ(Ｔｙｐｅ)と、この基本ＣＩＤの長さ(２バイト)を知らせる長さ(Ｌｅｎｇｔｈ)と、基本ＣＩＤが意味することを示す値(Ｖａｌｕｅ)とを含む。基本ＣＩＤは、ＭＳＳがサービング基地局と通信するときに使用した基本ＣＩＤ情報である。ここで、タイプフィールドの値は、臨時値６を有し、以後に変更が可能である。
【０１１２】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【０１１３】
【図１】一般的なＩＥＥＥ８０２.１６ｅ通信システムの構造を概略的に示す図である。
【図２】一般的なＩＥＥＥ８０２.１６ｅ通信システムで、ＭＳＳの要求によるハンドオーバー過程を示す信号フローチャートである。
【図３】一般的なＩＥＥＥ８０２.１６ｅ通信システムで、基地局の要求によるハンドオーバー過程を示す信号フローチャートである。
【図４】一般的なＩＥＥＥ８０２.１６ｅ通信システムで、ＭＳＳのハンドオーバーによるネットワーク再進入過程を示す信号フローチャートである。
【図５】本発明の実施形態によるＩＥＥＥ８０２.１６ｅ通信システムで、ハンドオーバーによるピンポン現象が発生する場合にＭＳＳの概略的な動作過程を示すフローチャートである。
【図６】本発明の実施形態によるＩＥＥＥ８０２.１６ｅ通信システムで、ハンドオーバー状況の発生時にピンポン現象を認知するか否かによるＭＳＳの動作過程を示すフローチャートである。
【図７】本発明の実施形態によるＩＥＥＥ８０２.１６ｅ通信システムで、ＭＳＳがピンポン現象を認知するための基地局別ＣＩＮＲ値の関係を示す図である。
【図８】本発明の実施形態によるＩＥＥＥ８０２.１６ｅ通信システムで、ハンドオーバーによるネットワーク再進入手順の遂行中にピンポン現象が発生する場合に、ＭＳＳの動作過程を示すフローチャートである。
【図９】本発明の実施形態によるＩＥＥＥ８０２.１６ｅ通信システムで、ハンドオーバーによるネットワーク再進入手順の遂行中に発生するピンポン現象を認知するための各基地局別ＣＩＮＲ値の関係を示す図である。
【図１０】本発明の実施形態によるＩＥＥＥ８０２.１６ｅ通信システムで、ＭＳＳがサービング基地局が接続情報を維持しているかを認知する過程を示すフローチャートである。
【図１１】本発明の実施形態によるＩＥＥＥ８０２.１６ｅ通信システムで、サービング基地局のＭＳＳ接続情報を維持するか否かによるＭＳＳのハンドオーバー動作過程を示すフローチャートである。
【符号の説明】
【０１１４】
１００、１５０      セル
１１０、１４０      基地局（ＢＳ）
１１１、１１３、１３０、１５１、１５３      移動加入者端末機（ＭＳＳ）
ＭＯＢ_ＭＳＳＨＯ_ＲＥＱ      ＭＳＳハンドオーバー要求メッセージ
ＭＯＢ_ＢＳＨＯ_ＲＳＰ      基地局ハンドオーバー応答メッセージ
ＭＯＢ_ＢＳＨＯ_ＲＥＱ      基地局ハンドオーバー要求メッセージ
ＭＯＢ_ＭＳＳＨＯ_ＲＳＰ      ＭＳＳハンドオーバー応答メッセージ
【図１】
2007527176.tif 000022
【図２】
2007527176.tif 000023
【図３】
2007527176.tif 000024
【図４】
2007527176.tif 000025
【図５】
2007527176.tif 000026
【図６】
2007527176.tif 000027
【図７】
2007527176.tif 000028
【図８】
2007527176.tif 000029
【図９】
2007527176.tif 000030
【図１０】
2007527176.tif 000031
【図１１】
2007527176.tif 000032
【国際調査報告】
2007527176.tif 000033
2007527176.tif 000034